(57)【特許請求の範囲】
【請求項１】
キャリアアグリゲーション（ｃａｒｒｉｅｒ  ａｇｇｒｅｇａｔｉｏｎ、ＣＡ）をサポートする無線通信システムにおける基地局の制御チャンネル送受信方法であって、
端末から前記端末の能力（ｃａｐａｂｉｌｉｔｙ）情報を受信する段階と−前記端末の能力情報は、少なくとも１つのセカンダリーセル（ｓｅｃｏｎｄａｒｙ  ｃｅｌｌ、ＳＣｅｌｌ）でのアップリンク制御チャンネルの送信がサポートされるか否かを指示する第１指示子を含む、
前記端末へ前記端末の能力情報に基づいて前記アップリンク制御チャンネルに関する設定情報を送信する段階と−前記設定情報は、１つ以上のＳＣｅｌｌに対するアップリンク制御チャンネルがＳＣｅｌｌで送信されるのか否かを指示する第２指示子を含む、
前記端末へスケジューリング情報を送信し、前記送信されたスケジューリング情報によってダウンリンクデータを送信する段階と、
前記端末から前記設定情報に基づいてプライマリーセル（ｐｒｉｍａｒｙ  ｃｅｌｌ、ＰＣｅｌｌ）またはＳＣｅｌｌのうち少なくとも１つで前記ダウンリンクデータに対する前記アップリンク制御チャンネルを受信する段階と、を含み、
前記第２指示子に基づいてＳＣｅｌｌがアップリンク制御チャンネルを送信するように設定された場合、前記ＰＣｅｌｌに関連したセルで送信した前記ダウンリンクデータに対する前記アップリンク制御チャンネルは、前記ＰＣｅｌｌで受信し、前記ＳＣｅｌｌに関連したセルで送信した前記ダウンリンクデータに対する前記アップリンク制御チャンネルは、前記ＳＣｅｌｌで受信し、
前記第２指示子に基づいてＳＣｅｌｌがアップリンク制御チャンネルを送信するように設定されていない場合、前記ダウンリンクデータに対する前記アップリンク制御チャンネルを前記ＰＣｅｌｌで受信することを特徴とする、制御チャンネル送受信方法。
【請求項２】
前記アップリンク制御チャンネルは、
アップリンクデータを受信したか否かを示すＡｃｋｎｏｗｌｅｄｇｍｅｎｔ／Ｎｅｇａｔｉｖｅ  Ａｃｋｎｏｗｌｅｄｇｅｍｅｎｔ（ＡＣＫ／ＮＡＣＫ）を含むことを特徴とする、請求項１に記載の制御チャンネル送受信方法。
【請求項３】
前記第２指示子に基づいてＳＣｅｌｌがアップリンク制御チャンネルを送信するように設定された場合、前記ダウンリンクデータに対する前記アップリンク制御チャンネルを、前記ＰＣｅｌｌ及び前記ＳＣｅｌｌに対するｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ（ＨＡＲＱ−ＡＣＫ）タイミングに基づいて受信し、
前記第２指示子に基づいてＳＣｅｌｌがアップリンク制御チャンネルを送信するように設定されていない場合、前記ダウンリンクデータに対する前記アップリンク制御チャンネルを前記ＰＣｅｌｌに対するＨＡＲＱ−ＡＣＫタイミングに基づいて受信することを特徴とする、請求項１に記載の制御チャンネル送受信方法。
【請求項４】
前記第２指示子に基づいてＳＣｅｌｌがアップリンク制御チャンネルを送信するように設定された場合、前記ＰＣｅｌｌに関連したセルで送信した前記ダウンリンクデータに対する前記アップリンク制御チャンネルは、前記ＰＣｅｌｌに相応する第１ＨＡＲＱ−ＡＣＫプロセスに基づいて送信され、前記ＳＣｅｌｌに関連したセルで送信した前記ダウンリンクデータに対する前記アップリンク制御チャンネルは、前記ＳＣｅｌｌに相応する第２ＨＡＲＱ−ＡＣＫプロセスに基づいて送信されることを特徴とする、請求項３に記載の制御チャンネル送受信方法。
【請求項５】
キャリアアグリゲーション（ｃａｒｒｉｅｒ  ａｇｇｒｅｇａｔｉｏｎ、ＣＡ）をサポートする無線通信システムにおける端末の制御チャンネル送受信方法であって、
基地局へ前記端末の能力（ｃａｐａｂｉｌｉｔｙ）情報を送信する段階と−前記端末の能力情報は、少なくとも１つのセカンダリーセル（ｓｅｃｏｎｄａｒｙ  ｃｅｌｌ、ＳＣｅｌｌ）でのアップリンク制御チャンネルの送信がサポートされるか否かを指示する第１指示子を含む、
前記基地局から前記端末の能力情報に基づく前記アップリンク制御チャンネルに関する設定情報を受信する段階と−前記設定情報は、１つ以上のＳＣｅｌｌに対するアップリンク制御チャンネルがＳＣｅｌｌで送信されるのか否かを指示する第２指示子を含む、
前記基地局から前記基地局のスケジューリング情報及び前記スケジューリング情報によるダウンリンクデータを受信する段階と、
前記設定情報に基づいてプライマリーセル（ｐｒｉｍａｒｙ  ｃｅｌｌ、ＰＣｅｌｌ）またはＳＣｅｌｌのうち少なくとも１つで前記ダウンリンクデータに対する前記アップリンク制御チャンネルを前記基地局へ送信する段階とを含み、
前記第２指示子に基づいてＳＣｅｌｌがアップリンク制御チャンネルを送信するように設定された場合、前記ＰＣｅｌｌに関連したセルで受信した前記ダウンリンクデータに対する前記アップリンク制御チャンネルは、前記ＰＣｅｌｌで送信し、前記ＳＣｅｌｌに関連したセルで受信した前記ダウンリンクデータに対する前記アップリンク制御チャンネルは、前記ＳＣｅｌｌで送信し、
前記第２指示子に基づいてＳＣｅｌｌがアップリンク制御チャンネルを送信するように設定されていない場合、前記ダウンリンクデータに対する前記アップリンク制御チャンネルを前記ＰＣｅｌｌで送信することを特徴とする、制御チャンネル送受信方法。
【請求項６】
前記アップリンク制御チャンネルは、
アップリンクデータを受信したか否かを示すＡｃｋｎｏｗｌｅｄｇｍｅｎｔ／Ｎｅｇａｔｉｖｅ  Ａｃｋｎｏｗｌｅｄｇｅｍｅｎｔ（ＡＣＫ／ＮＡＣＫ）を含むことを特徴とする、請求項５に記載の制御チャンネル送受信方法。
【請求項７】
前記第２指示子に基づいてＳＣｅｌｌがアップリンク制御チャンネルを送信するように設定された場合、前記ダウンリンクデータに対する前記アップリンク制御チャンネルを、前記ＰＣｅｌｌ及び前記ＳＣｅｌｌに対するｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ（ＨＡＲＱ−ＡＣＫ）タイミングに基づいて送信し、
前記第２指示子に基づいてＳＣｅｌｌがアップリンク制御チャンネルを送信するように設定されていない場合、前記ダウンリンクデータに対する前記アップリンク制御チャンネルを前記ＰＣｅｌｌに対するＨＡＲＱ−ＡＣＫタイミングに基づいて送信することを特徴とする、請求項５に記載の制御チャンネル送受信方法。
【請求項８】
前記第２指示子に基づいてＳＣｅｌｌがアップリンク制御チャンネルを送信するように設定された場合、前記ＰＣｅｌｌに関連したセルで受信した前記ダウンリンクデータに対する前記アップリンク制御チャンネルは、前記ＰＣｅｌｌに相応する第１ＨＡＲＱ−ＡＣＫプロセスに基づいて送信され、前記ＳＣｅｌｌに関連したセルで受信した前記ダウンリンクデータに対する前記アップリンク制御チャンネルは、前記ＳＣｅｌｌに相応する第２ＨＡＲＱ−ＡＣＫプロセスに基づいて送信されることを特徴とする、請求項７に記載の制御チャンネル送受信方法。
【請求項９】
キャリアアグリゲーション（ｃａｒｒｉｅｒ  ａｇｇｒｅｇａｔｉｏｎ、ＣＡ）をサポートする無線通信システムにおいて制御チャンネルを送受信する基地局であって、
送受信部と、
端末から前記端末の能力（ｃａｐａｂｉｌｉｔｙ）情報を受信し−前記端末の能力情報は、少なくとも１つのセカンダリーセル（ｓｅｃｏｎｄａｒｙ  ｃｅｌｌ、ＳＣｅｌｌ）でのアップリンク制御チャンネルの送信がサポートされるか否かを指示する第１指示子を含む、前記端末へ前記端末の能力情報に基づいて前記アップリンク制御チャンネルに関する設定情報を送信し−前記設定情報は、１つ以上のＳＣｅｌｌに対するアップリンク制御チャンネルがＳＣｅｌｌで送信されるのか否かを指示する第２指示子を含む、前記端末へスケジューリング情報を送信し、前記送信されたスケジューリング情報によってダウンリンクデータを送信し、前記端末から前記設定情報に基づいてプライマリーセル（ｐｒｉｍａｒｙ  ｃｅｌｌ、ＰＣｅｌｌ）またはＳＣｅｌｌのうち少なくとも１つで前記ダウンリンクデータに対する前記アップリンク制御チャンネルを受信するように前記送受信部を制御する制御機とを含み、
前記第２指示子に基づいてＳＣｅｌｌがアップリンク制御チャンネルを送信するように設定された場合、前記ＰＣｅｌｌに関連したセルで送信した前記ダウンリンクデータに対する前記アップリンク制御チャンネルは、前記ＰＣｅｌｌで受信し、前記ＳＣｅｌｌに関連したセルで送信した前記ダウンリンクデータに対する前記アップリンク制御チャンネルは、前記ＳＣｅｌｌで受信し、
前記第２指示子に基づいてＳＣｅｌｌがアップリンク制御チャンネルを送信するように設定されていない場合、前記ダウンリンクデータに対する前記アップリンク制御チャンネルを前記ＰＣｅｌｌで受信することを特徴とする、基地局。
【請求項１０】
前記アップリンク制御チャンネルは、
アップリンクデータを受信したか否かを示すＡｃｋｎｏｗｌｅｄｇｍｅｎｔ／Ｎｅｇａｔｉｖｅ  Ａｃｋｎｏｗｌｅｄｇｅｍｅｎｔ（ＡＣＫ／ＮＡＣＫ）を含むことを特徴とする、請求項９に記載の基地局。
【請求項１１】
前記制御機は、
前記第２指示子に基づいてＳＣｅｌｌがアップリンク制御チャンネルを送信するように設定された場合、前記ダウンリンクデータに対する前記アップリンク制御チャンネルを、前記ＰＣｅｌｌ及び前記ＳＣｅｌｌに対するｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ（ＨＡＲＱ−ＡＣＫ）タイミングに基づいて受信し、
前記第２指示子に基づいてＳＣｅｌｌがアップリンク制御チャンネルを送信するように設定されていない場合、前記ダウンリンクデータに対する前記アップリンク制御チャンネルを前記ＰＣｅｌｌに対するＨＡＲＱ−ＡＣＫタイミングに基づいて受信することを特徴とする、請求項９に記載の基地局。
【請求項１２】
前記第２指示子に基づいてＳＣｅｌｌがアップリンク制御チャンネルを送信するように設定された場合、前記ＰＣｅｌｌに関連したセルで送信した前記ダウンリンクデータに対する前記アップリンク制御チャンネルは、前記ＰＣｅｌｌに相応する第１ＨＡＲＱ−ＡＣＫプロセスに基づいて送信され、前記ＳＣｅｌｌに関連したセルで送信した前記ダウンリンクデータに対する前記アップリンク制御チャンネルは、前記ＳＣｅｌｌに相応する第２ＨＡＲＱ−ＡＣＫプロセスに基づいて送信されることを特徴とする、請求項１１に記載の基地局。
【請求項１３】
キャリアアグリゲーション（ｃａｒｒｉｅｒ  ａｇｇｒｅｇａｔｉｏｎ、ＣＡ）をサポートする無線通信システムにおいて制御チャンネルを送受信する端末であって、
送受信部と、
基地局へ前記端末の能力（ｃａｐａｂｉｌｉｔｙ）情報を送信し−前記端末の能力情報は、少なくとも１つのセカンダリーセル（ｓｅｃｏｎｄａｒｙ  ｃｅｌｌ、ＳＣｅｌｌ）でのアップリンク制御チャンネルの送信がサポートされるか否かを指示する第１指示子を含む、前記基地局から前記端末の能力情報に基づく前記アップリンク制御チャンネルに関する設定情報を受信し−前記設定情報は、１つ以上のＳＣｅｌｌに対するアップリンク制御チャンネルがＳＣｅｌｌで送信されるのか否かを指示する第２指示子を含む、前記基地局から前記基地局のスケジューリング情報及び前記スケジューリング情報によるダウンリンクデータを受信し、前記設定情報に基づいてプライマリーセル（ｐｒｉｍａｒｙ  ｃｅｌｌ、ＰＣｅｌｌ）またはＳＣｅｌｌのうち少なくとも１つで前記ダウンリンクデータに対する前記アップリンク制御チャンネルを前記基地局へ送信するように前記送受信部を制御する制御機とを含み、
前記第２指示子に基づいてＳＣｅｌｌがアップリンク制御チャンネルを送信するように設定された場合、前記ＰＣｅｌｌに関連したセルで受信した前記ダウンリンクデータに対する前記アップリンク制御チャンネルは、前記ＰＣｅｌｌで送信し、前記ＳＣｅｌｌに関連したセルで受信した前記ダウンリンクデータに対する前記アップリンク制御チャンネルは、前記ＳＣｅｌｌで送信し、
前記第２指示子に基づいてＳＣｅｌｌがアップリンク制御チャンネルを送信するように設定されていない場合、前記ダウンリンクデータに対する前記アップリンク制御チャンネルを前記ＰＣｅｌｌで送信することを特徴とする、端末。
【請求項１４】
前記アップリンク制御チャンネルは、
アップリンクデータを受信したか否かを示すＡｃｋｎｏｗｌｅｄｇｍｅｎｔ／Ｎｅｇａｔｉｖｅ  Ａｃｋｎｏｗｌｅｄｇｅｍｅｎｔ（ＡＣＫ／ＮＡＣＫ）を含むことを特徴とする、請求項１３に記載の端末。
【請求項１５】
前記制御機は、
前記第２指示子に基づいてＳＣｅｌｌがアップリンク制御チャンネルを送信するように設定された場合、前記ダウンリンクデータに対する前記アップリンク制御チャンネルを、前記ＰＣｅｌｌ及び前記ＳＣｅｌｌに対するｈｙｂｒｉｄ  ａｕｔｏｍａｔｉｃ  ｒｅｐｅａｔ  ｒｅｑｕｅｓｔ−ａｃｋｎｏｗｌｅｄｇｅｍｅｎｔ（ＨＡＲＱ−ＡＣＫ）タイミングに基づいて送信し、
前記第２指示子に基づいてＳＣｅｌｌがアップリンク制御チャンネルを送信するように設定されていない場合、前記ダウンリンクデータに対する前記アップリンク制御チャンネルを前記ＰＣｅｌｌに対するＨＡＲＱ−ＡＣＫタイミングに基づいて送信することを特徴とする、請求項１３に記載の端末。
【請求項１６】
前記第２指示子に基づいてＳＣｅｌｌがアップリンク制御チャンネルを送信するように設定された場合、前記ＰＣｅｌｌに関連したセルで受信した前記ダウンリンクデータに対する前記アップリンク制御チャンネルは、前記ＰＣｅｌｌに相応する第１ＨＡＲＱ−ＡＣＫプロセスに基づいて送信され、前記ＳＣｅｌｌに関連したセルで受信した前記ダウンリンクデータに対する前記アップリンク制御チャンネルは、前記ＳＣｅｌｌに相応する第２ＨＡＲＱ−ＡＣＫプロセスに基づいて送信されることを特徴とする、請求項１５に記載の端末。
【発明の詳細な説明】
【技術分野】
【０００１】
本発明は、セル内のキャリアアグリゲーションシステムで端末の能力による制御チャネル送信方法及び装置に関し、特にセル間のデュプレックス構造が異なる場合に、アップリンクキャリアをサポートする端末の能力による制御チャネル送信方法及び装置に関する。
【背景技術】
【０００２】
一般的に、移動通信システムはユーザの活動性を保障すると共に音声サービスを提供するために開発された。しかし、移動通信システムはだんだん音声だけではなくデータサービスまで領域を確張しつつあり、現在には高速のデータサービスを提供することができる程度まで発展した。これにより現時の移動通信システムではリソースの不足現象及びユーザの高速サービス要求により、さらに発展した性能が求められている。
【０００３】
３ＧＰＰ(Ｔｈｅ ３ｒｄ Ｇｅｎｅｒａｔｉｏｎ Ｐａｒｔｎｅｒｓｈｉｐ Ｐｒｏｊｅｃｔ)でＬＴＥ−Ａ(Ｌｏｎｇ Ｔｅｒｍ Ｅｖｏｌｕｔｉｏｎ − Ａｄｖａｎｃｅｄ)は、最大１Ｇｂｐｓ程度の送信速度を有する高速パケットに基づく通信を具現する技術である。ＬＴＥ−Ａでは端末に確張されるすべてもセルは同じデュプレックス(ｄｕｐｌｅｘ)構造を持っている。したがって、すべてのセルは周波数分割デュプレックス(ＦＤＤ、Ｆｒｅｑｕｅｎｃｙ Ｄｉｖｉｓｉｏｎ Ｄｕｐｌｅｘ)構造、または時分割デュプレックス(ＴＤＤ、Ｔｉｍｅ Ｄｉｖｉｓｉｏｎ Ｄｕｐｌｅｘ)構造を持つこともできる。ＴＤＤは、ＵＬ−ＤＬ設定(ｃｏｎｆｉｇｕｒａｔｉｏｎ)が維持される静的ＴＤＤ構造であることができ、ＵＬ−ＤＬ設定がシステム情報や上位信号またはダウンリンク共通制御チャンネルにより変化する動的ＴＤＤ構造であることができる。
【０００４】
もし、基地局によって制御されている１個のセルがＦＤＤ構造を持っており、ここに新しい１個の周波数バンドが追加される場合、追加された１個の周波数バンドは、ＴＤＤ構造を適用することが容易である。その理由は、ＦＤＤを操作するためにダウンリンク(ＤＬ)とアップリンク(ＵＬ)それぞれのために互い異なる２個の周波数帯域が必要であるためである。このように限定的な周波数バンドの追加またはその他の理由でセル間のデュプレックス構造が異なる場合に、多数のセルから送信されたデータの制御チャネルを送信するための方案が必要となる。
【０００５】
ＬＴＥ−Ａでは、端末が接続するセルの数を拡張するが、各セルで発生するフィードバックはプライマリーセル(Ｐｒｉｍａｒｙ ｃｅｌｌ; ＰｃｅｌｌまたはＰセル)でばかり送信する方法を採択した。具体的には、アップリンクの１個のキャリアのみをサポートできる端末は、１個のアップリンクキャリアだけを用いてアップリンク制御チャネルを送信することができるから、アップリンクで多数のキャリアをサポートできる端末とアップリンクで１個のキャリアのみをサポートできる端末が共存しても、基地局内に多数のキャリアをサポートできる端末の数が多くないＬＴＥ−Ａでは、すべての端末をサポートするための規格を定義する側面で、各セルのダウンリンクで発生するフィードバックをプライマリーセルでばかり送信する方法を採択した。
【０００６】
しかし、多数のアップリンクキャリアをサポートする端末の数が増加した場合、多数のアップリンクキャリアでアップリンク制御チャネルを送信するためのサポートが必要である。また、アップリンクキャリアをサポートする端末の能力により、基地局がアップリンクデータを端末にスケジューリングし、アップリンクデータに対するダウンリンク制御チャネルを送信するための技術を必要とする。
【０００７】
前記の情報は、ただ本開示を理解することに役立つ背景情報として提供される。前記の情報のどんな部分が本開示の先行技術として適用されるかについての決定及び確信があってはいけない。
【発明の概要】
【発明が解決しようとする課題】
【０００８】
本発明は、上述した問題点を解決するために提案されたもので、セル内のキャリアアグリゲーションシステムでセル間のデュプレックス構造が異なる場合に、アップリンクキャリアをサポートする端末の能力による制御チャネル送信方法及び装置を提供することにその目的がある。
【課題を解決するための手段】
【０００９】
上述した問題点を解決するための本発明による制御チャネル送信方法は、無線通信システムで基地局の制御チャネル送受信方法であって、端末から前記端末の能力(ｃａｐａｂｉｌｉｔｙ)情報を受信する段階と、前記端末へスケジューリング情報を送信し、前記送信されたスケジューリング情報に基づいてダウンリンクデータを送信する段階と、前記端末の能力情報に基づいて前記端末から前記ダウンリンクデータに対するアップリンク制御チャネルを受信する段階と、を含むことを特徴とする。
【００１０】
また、本発明による制御チャネル送信方法は、無線通信システムで端末の制御チャネル送受信方法であって、基地局へ前記端末の能力(ｃａｐａｂｉｌｉｔｙ)情報を送信する段階と、前記基地局から前記基地局のスケジューリング情報及び前記スケジューリング情報によるダウンリンクデータを受信する段階と、前記端末の能力情報に基づいて前記ダウンリンクデータに対するアップリンク制御チャネルを、前記基地局へ送信する段階と、を含むことを特徴とする。
【００１１】
また、本発明による基地局は、無線通信システムで制御チャネルを送受信する基地局であって、ダウンリンク制御チャネルを端末へ送信したり前記端末からアップリンク制御チャネルを受信する送受信部と、及び前記端末から前記端末の能力(ｃａｐａｂｉｌｉｔｙ)情報を受信し、前記端末へスケジューリング情報を送信し、前記送信されたスケジューリング情報によりダウンリンクデータを送信し、前記端末の能力情報に基づいて前記端末から前記ダウンリンクデータに対するアップリンク制御チャネルを受信するように、前記送受信部を制御する制御機と、含むことを特徴とする。
【００１２】
また、本発明による端末は、無線通信システムで制御チャネルを送受信する端末であって、ダウンリンク制御チャネルを基地局から受信したり前記基地局へアップリンク制御チャネルを送信する送受信部と、及び前記基地局へ前記端末の能力(ｃａｐａｂｉｌｉｔｙ)情報を送信し、前記基地局から前記基地局のスケジューリング情報及び前記スケジューリング情報によるダウンリンクデータを受信し、前記端末の能力情報に基づいて前記ダウンリンクデータに対するアップリンク制御チャネルを前記基地局へ送信するように、前記送受信部を制御する制御機と、を含むことを特徴とする
【発明の効果】
【００１３】
本発明の一実施形態によると、端末と基地局は、データのスケジューリングに必要な制御チャネルを送受信することができる。また、本発明の一実施形態によれば、アップリンクキャリアをサポートする端末の能力により互い異なるデュプレックス構造を有するセルを通じるデータの同時送受信が可能となり、最大送信率を向上させることができる。
本開示の側面、利益及び特徴は、図面と共に本開示の様々な実施形態を開示する後述する詳細な説明から当業者に明確に理解されるだろう。
【図面の簡単な説明】
【００１４】
【図１Ａ】本発明の一部実施形態が適用される通信システムを示す図面である。
【図１Ｂ】本発明の一部実施形態が適用される通信システムを示す図面である。
【図２Ａ】本発明で提案するアップリンク制御チャンネル送信時点に対する第１実施形態を示す図面である。
【図２Ｂ】本発明で提案するアップリンク制御チャンネル送信時点に対する第２実施形態を示す図面である。
【図３】本発明で提案するアップリンク制御チャンネル送信時点に対する第３実施形態を示す図面である。
【図４Ａ】本発明で提案するアップリンク制御チャンネル送信時点に対する第４実施形態を示す図面である。
【図４Ｂ】本発明で提案するアップリンク制御チャンネル送信時点に対する第５実施形態を示す図面である。
【図４Ｃ】本発明で提案するアップリンク制御チャンネル送信時点に対する第６実施形態を示す図面である。
【図５Ａ】本発明で提案する端末の能力による基地局の制御チャンネル送信過程の第１実施形態に対するフローチャートである。
【図５Ｂ】本発明で提案する端末の能力による端末の制御チャンネル送信過程の第１実施形態に対するフローチャートである。
【図６Ａ】本発明で提案する端末の能力による基地局の制御チャンネル送信過程の第２実施形態に対するフローチャートである。
【図６Ｂ】本発明で提案する端末の能力による端末の制御チャンネル送信過程の第２実施形態に対するフローチャートである。
【図７】本発明の実施形態による基地局のブロック構成図である。
【図８】本発明の実施形態による端末のブロック構成図である。前記図面において、同じ参照番号は、同一又は類似の要素、特徴及び構造を説明するにあたり使用される。
【発明を実施するための形態】
【００１５】
以下、本発明の好ましい実施形態を添付の図面の参照と共に詳しく説明する。また、本発明を説明するにおいて、関連する公知機能あるいは構成に対する具体的な説明が本発明の要旨を不必要にすることができると判定された場合、その詳細な説明は省略する。そして後述される用語は本発明における機能を考慮して定義された用語としてこれはユーザ、運用者の意図または慣例などによって変わることができる。よって、その定義は本明細書全般にわたった内容に基づいて下ろされなければならない。
【００１６】
後述する詳細な説明で用いられる用語及び単語は辞書的な意味に限定されず、発明者が本開示を明確に理解できるように用いられたのに過ぎない。よって、後述する本開示の多様な実施形態に対する詳細な説明は当業者が明らかに理解するための説明のために提供されることであって、請求項及びその同一性の範囲と定義されるように本開示を限定するための目的ではない。
【００１７】
以下、本明細書ではＬＴＥ(Ｌｏｎｇ Ｔｅｒｍ Ｅｖｏｌｕｔｉｏｎ)システムとＬＴＥ−Ａ(ＬＴＥ−Ａｄｖａｎｃｅｄ)システムを例えて本発明の実施形態を説明するが、本発明は基地局スケジューリングが適用されるその他の通信システムに別の加減無しに適用可能である。
【００１８】
ＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ；直交周波数分割多元接続)送信方式は、マルチキャリア(Ｍｕｌｔｉ−ｃａｒｒｉｅｒ)を用いてデータを送信する方式として、直列に入力されるシンボル(Ｓｙｍｂｏｌ)列を並列化し、これらそれぞれを相互直交関係をもって多数のマルチキャリア、すなわち、多数のサブキャリア(Ｓｕｂ−ｃａｒｒｉｅｒ)チャンネルで変調して送信するマルチキャリア変調(Ｍｕｌｔｉ Ｃａｒｒｉｅｒ Ｍｏｄｕｌａｔｉｏｎ)方式の一種である。
【００１９】
ＯＦＤＭ方式において、変調信号は時間及び周波数から構成された２次元リソース(rｅｓｏｕｒｃｅ)に位置する。時間軸上のリソースは互いに異なるＯＦＤＭシンボルに区別され、これらは互いに直交する。周波数軸上のリソースは互いに異なるサブキャリアに区別され、これらも互いに直交する。すなわち、ＯＦＤＭ方式では時間軸上で特定ＯＦＤＭシンボルを指定して周波数軸上で特定サブキャリアを指定すれば１個の最小単位リソースを指すことができるが、これをリソース要素(ＲＥ：Ｒｅｓｏｕｒｃｅ Ｅｌｅｍｅｎｔ、以下 、‘ＲＥ’と称する)と称する。互いに異なるＲＥは、周波数選択的チャンネル(ｆｒｅｑｕｅｎｃｙ ｓｅｌｅｃｔｉｖｅ ｃｈａｎｎｅｌ)を経ても互いに直交する特性を持ち、互いに異なるＲＥを介して送信された信号は相互干渉を起こせず受信側に受信されることができる
【００２０】
物理チャンネルは、１個またはその以上の符号化されたビット列を変調した変調シンボルを送信する物理階層のチャンネルである。直交周波数分割多元接続(ＯＦＤＭＡ:Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ、以下、‘ＯＦＤＭＡ’と称する)システムでは送信する情報列の用途や受信機によって複数の物理チャンネルを構成して送信する。１個の物理チャンネルをあるＲＥに配置して送信するかを送信機と受信機が予め約束しなければならなく、その規則をマッピング(ｍａｐｐｉｎｇ)と言う
【００２１】
ＯＦＤＭ通信システムにおいて、ダウンリンク帯域(ｂａｎｄｗｉｄｔｈ)は、多数個のリソースブロック(ＲＢ：Ｒｅｓｏｕｒｃｅ Ｂｌｏｃｋ、以下、‘ＲＢ’と称する)からなり、各物理的リソースブロック(ＰＲＢ：Ｐｈｙｓｉｃａｌ Ｒｅｓｏｕｒｃｅ Ｂｌｏｃｋ、以下 ‘ＰＲＢ’と称する)は周波数軸に沿って配列された１２個のサブキャリアと、時間軸に沿って配列された１４個または１２個のＯＦＤＭシンボルと、で構成されることができる。ここで前記ＰＲＢはリソース割り当ての基本単位となる
【００２２】
基準信号(ＲＳ：Ｒｅｆｅｒｅｎｃｅ Ｓｉｇｎａｌ、以下、‘ＲＳ’と称する)は、基地局から発信される信号である。端末はＲＳを用いてチャンネル推定をする。ＬＴＥ通信システムは共通基準信号(ＣＲＳ：Ｃｏｍｍｏｎ Ｒｅｆｅｒｅｎｃｅ Ｓｉｇｎａｌ、以下、‘ＣＲＳ’と称する)と復調基準信号(ＤＭＲＳ：ＤｅＭｏｄｕｌａｔｉｏｎ Ｒｅｆｅｒｅｎｃｅ Ｓｉｇｎａｌ、以下 ‘ＤＭＲＳ’と称する)を含む。ＤＭＲＳは専用基準信号の一種である。
【００２３】
ＣＲＳは全体ダウンリンク帯域にかけて送信される基準信号である。すべての端末はＣＲＳを受信することができる。ＣＲＳはチャンネル推定、端末のフィードバック情報構成、または制御チャンネル及びデータチャンネルの復調に用いられる。ＤＭＲＳも全体ダウンリンク帯域にかけて送信される基準信号である。ＤＭＲＳは特定端末のデータチャンネル復調及びチャンネル推定に用いられ、ＣＲＳとは異なりフィードバック情報構成には用いられない。したがって、ＤＭＲＳは端末がスケジューリングするＰＲＢリソースを介して送信される。
【００２４】
時間軸上でサブフレーム(ｓｕｂｆｒａｍｅ)は、０．５ｍｓｅｃ長さの２個のスロット(ｓｌｏｔ)、即、第１スロット及び第２スロットから構成される。制御チャンネル領域である物理的ダウンリンク制御チャンネル(ＰＤＣＣＨ：Ｐｈｙｓｉｃａｌ Ｄｏｗｎｌｉｎｋ Ｃｏｎｔｒｏｌ Ｃｈａｎｎｅｌ、‘ＰＤＣＣＨ’と称する)領域とデータチャンネル領域であるｅＰＤＣＣＨ(ｅｎｈａｎｃｅｄ ＰＤＣＣＨ)領域は時間軸上で分割されて送信される。これは制御チャンネル信号を早く受信して復調するためのことである。だけでなくＰＤＣＣＨ領域は全体ダウンリンク帯域にかけて位置するのに、１個の制御チャンネルが小さい単位の制御チャンネルに分割されて前記全体ダウンリンク帯域に分散して位置する形態を有する。
【００２５】
アップリンクは、制御チャンネル(ＰＵＣＣＨ)とデータチャンネル(ＰＵＳＣＨ)に大別される。亜アップリンクデータチャンネルがスケジューリングされない場合、ダウンリンクデータチャンネルに対する応答チャンネルとその他のフィードバック情報が制御チャンネルを介して伝達される。アップリンクデータチャンネルがスケジューリングされる場合にはダウンリンクデータチャンネルに対する応答チャンネルとフィードバック情報がデータチャンネルを介して送信される。
図１Ａ及び図１Ｂは、本発明の一部実施形態が適用される無線通信システムを示す図面である。
【００２６】
図１Ａを参照すれば、無線通信システムは、ネットワークで一個の基地局１０１内にＴＤＤセル１０２とＦＤＤセル１０３が共存する構造を有することができる。端末１０４はＴＤＤセル１０２とＦＤＤセル１０３を介して基地局へデータを送信し、基地局からデータを受信する。
【００２７】
本発明の実施形態によれば、無線通信システムにおいて端末１０４は、端末１０４の能力により多数のアップリンクキャリアを介してアップリンク制御チャネルを送信することもでき、１個のアップリンクキャリアを介してアップリンク制御チャネルを送信することもできる。端末１０４が多数のアップリンクキャリアを介してアップリンク制御チャネルを送信する能力を持っている場合、端末は、ＴＤＤセル１０２とＦＤＤセル１０３の両方を介してアップリンク送信を行う。端末１０４は、１個のアップリンクキャリアを介してアップリンク制御チャネルを送信する能力を持つ場合、端末１０４は、ＴＤＤセル１０２とＦＤＤセル１０３のうちのＰセルを介してのみアップリンク送信を行う。例えば、ＴＤＤセル１０２がＰセルの場合、端末１０４は、ＴＤＤセル１０２を介してのみアップリンク送信を行う。または、例えば、ＦＤＤセル１０３がＰセルの場合、端末１０４はＦＤＤセル１０３を介してのみアップリンク送信を行う。
【００２８】
図１Ｂを参照すれば、無線通信システムは、ネットワークで広いカバレッジを有するマクロ(Ｍａｃｒｏ)基地局１１１とデータ送信量増加のためのピコ(Ｐｉｃｏ)基地局１１２が共存する構造を持つ。図１Ｂでは、マクロ基地局１１１は、ＦＤＤ方式１１６を用い、ピコ基地局はＴＤＤ方式１１５を用いて端末１１４と通信を行う例を示したが、逆の場合も可能である。
【００２９】
本発明の実施形態によれば、無線通信システムにおいて端末１１４は、端末１１４の能力により、多数のアップリンクキャリアを介してアップリンク制御チャネルを送信することもでき、１個のアップリンクキャリアを介してアップリンク制御チャネルを送信することもできる。端末１１４が多数のアップリンクキャリアを介してアップリンク制御チャネルを送信する能力を持つ場合、端末１１４は、ＴＤＤ方式であるピコ基地局１１２とＦＤＤ方式であるマクロ基地局１１１の両方を介してアップリンク送信を行う。端末１１４は１個のアップリンクキャリアを介してアップリンク制御チャネルを送信する能力を持っている場合、端末１１４は、Ｐセルを介してのみアップリンク送信を行う。例えば、マクロ基地局１１１がＰセルの場合、端末１１４は、マクロ基地局１１１を介してのみアップリンク送信を行う。このとき、マクロ基地局１１１とピコ基地局１１２は、理想的なバックホール(ｂａｃｋｈａｕｌ)ネットワークを持つことで仮定する。したがって、高速の基地局間のＸ２通信１１３が可能であり、端末１１４のアップリンク信号がマクロ基地局１１１にだけ送信されても、Ｘ２通信１１３を介してピコ基地局１１２が端末１１４と関連する制御情報をマクロ基地局１１１からのリアルタイム受信することが可能である。
【００３０】
図１Ａまたは図１Ｂの無線通信システムにおいて、アップリンクキャリアをサポートする端末の能力によりアップリンクへ送信されるＨＡＲＱの送信時点が決定されることができる。
【００３１】
本発明の一実施形態で無線通信システムは端末が１個のアップリンクキャリアを介してのみアップリンク制御チャンネルを送信することができる能力を持っているか、若しくは多数のアップリンクキャリアを介してアップリンク制御チャンネルを送信することができる能力を持っているか否かに基づいてＨＡＲＱタイミングを適用する。これによる本発明は、端末の能力、すなわちアップリンク制御チャンネルを送信することができるアップリンクキャリアの個数により互いに異なるＨＡＲＱタイミングを適用することによって、端末の能力に適当にデータ送信量を効率的に増加させることができる。
【００３２】
本発明の他の実施形態で、無線通信システムはアップリンク制御チャンネルを送信するアップリンクキャリアの個数に対するシグナリングによって互いに異なるＨＡＲＱタイミングを適用する。これによる本発明は、端末が多数のアップリンクキャリアでアップリンク制御チャンネルを送信することができる能力を持つ場合、端末がセル中心にあるか、セル境界にあるか、若しくは良いチャンネル状態を持っているか、悪いチャンネル状態を持っているかによって、アップリンク制御チャンネルを送信することができるアップリンクキャリアの数を調節し、それによって互いに異なるＨＡＲＱタイミングを適用することによって、端末の通信環境に適当にデータ送信量を調節することができる。
【００３３】
本発明の実施形態で提案する方案は、図１Ａの無線通信システムと、図１Ｂの無線通信システムにすべて適用が可能であるが、以下では主に図１Ａの無線通信システムを仮定して説明する。
【００３４】
以下では、アップリンクキャリアをサポートする端末の能力により互いに異なるように適用されるアップリンク制御チャンネル送信時点に対して多様な実施形態を例えて説明する。
【００３５】
まず、端末が多数のアップリンクキャリアを介してアップリンク制御チャンネルを送信することができる能力を持っており、多数のアップリンクキャリアを介してアップリンク制御チャンネルを送信する場合、本発明で提案するＨＡＲＱタイミングに対して説明する。
【００３６】
端末が多数のアップリンクキャリアを介してアップリンク制御チャンネルを送信する場合、各セルのダウンリンクサブフレームでスケジューリングされたＰＤＳＣＨに対するＨＡＲＱ−ＡＣＫの送信は、セルで定義された ＨＡＲＱタイミングによって成る。
【００３７】
図２により、端末が多数のアップリンクキャリアを介してアップリンク制御チャンネルを送信することができる能力を持っており、多数のアップリンクキャリアを介してアップリンク制御チャンネルを送信する場合、本発明で提案するＨＡＲＱタイミングに対してさらに詳しく説明する。
【００３８】
図２Ａは、本発明で提案する多数のアップリンクキャリアを通じる制御チャンネル送信に対する第１実施形態を示したもので、図２Ｂは、本発明で提案する多数のアップリンクキャリアを通じる制御チャンネル送信に対する第２実施形態を示したものである。
【００３９】
先ず、図２Ａを用いてＰセルであるＦＤＤセルのダウンリンクサブフレームでスケジューリングされたＰＤＳＣＨとセカンダリーセル(Ｓｅｃｏｎｄａｒｙ ｃｅｌｌ； Ｓｃｅｌｌ又はＳセル)であるＴＤＤセルのダウンリンクサブフレームでスケジューリングされたＰＤＳＣＨのために本発明で提案するＨＡＲＱタイミング方法に対して説明する。
【００４０】
第１実施形態
第１実施形態は端末が多数のアップリンクキャリアを介してアップリンク制御チャンネルを送信することができる能力を持っており、これにより多数のアップリンクキャリアを介して制御チャンネルを送信する場合を仮定する。また、第１実施形態はＰセルがＦＤＤ方式を用い、ＳセルがＴＤＤ方式を用いる場合を仮定する。
図２Ａは、本発明で提案するアップリンク制御チャンネル送信時点に対する第１実施形態を示す。
【００４１】
図２Ａを参照すれば、無線通信システムは互いに異なるデュプレックス方式を用いるセル２０１、２０２が共存する構造を持つ。図２ＡでＰセル２０１はＦＤＤ方式を用い、ダウンリンク送信のための周波数はｆ１であり、アップリンク送信のための周波数はｆ２である。セカンダリーセル(Ｓｅｃｏｎｄａｒｙ ｃｅｌｌ；Ｓｃｅｌｌ又はＳセル)２０２はＴＤＤ方式を用い、ＴＤＤ ＵＬ−ＤＬ設定(ｃｏｎｆｉｇｕｒａｔｉｏｎ)＃４によってダウンリンクサブフレームとアップリンクサブフレームが設定されている。Ｐセル２０１及びＳセル２０２は、それぞれのダウンリンクサブフレームでＰＤＳＣＨをスケジューリングする。すなわち、Ｐセル２０１及びＳセル２０２はそれぞれ＃ｎのダウンリンクサブフレームから端末にスケジューリング情報を送信し、スケジューリング情報によってダウンリンクデータを送信する。
【００４２】
図２Ａによる実施形態で、端末は多数のアップリンクキャリアを介してアップリンク制御チャンネルを送信することができる能力を持っており、これにより多数のアップリンクキャリアを介してアップリンク制御チャンネルを送信する。端末が多数のアップリンクキャリアを介してアップリンク制御チャンネルを送信する場合、各セルのダウンリンクサブフレームから送信されたダウンリンクデータに対するアップリンク制御チャンネルの送信は各セルで個別的でなり、各セルで定義された送信時点に対応するサブフレームから送信される。
【００４３】
具体的に、端末にＰＤＳＣＨ(Ｐｈｙｓｉｃａｌ Ｄｏｗｎｌｉｎｋ Ｓｈａｒｅｄ ＣＨａｎｎｅｌ)２０３がＰセル２０１、すなわち、ＦＤＤセルでスケジューリングされると、前記ＰＤＳＣＨ２０３に対するＨＡＲＱ−ＡＣＫ(Ｈｙｂｒｉｄ Ａｕｔｏｍａｔｉｃ Ｒｅｐｅａｔ ｒｅＱｕｅｓｔ−ＡＣＫｎｏｗｌｅｄｇｅｍｅｎｔ)２０４はＦＤＤセルで定義されたＨＡＲＱタイミングによってＦＤＤセルのアップリンクサブフレームから送信される。例えば、ＰＤＳＣＨ２０３がＦＤＤセルのダウンリンクサブプフレーム＃７から送信された場合、ＰＤＳＣＨ２０３に対するＨＡＲＱ−ＡＣＫ２０４はＦＤＤセルで定義されたＨＡＲＱタイミングによってＦＤＤセルの次のアップリンクサブフレーム＃１から送信される。
【００４４】
類似に、前記端末にＰＤＳＣＨ２０５がＳセル２０２、すなわちＴＤＤセルでスケジューリングされると、前記ＰＤＳＣＨ２０５に対するＨＡＲＱ−ＡＣＫはＴＤＤ ＵＬ−ＤＬ設定＃４と定義されているＨＡＲＱタイミングによってＴＤＤセルのアップリンクサブフレームから送信される。例えば、ＰＤＳＣＨ２０５がＴＤＤセルのダウンリンクサブフレーム＃７から送信された場合、ＰＤＳＣＨ２０３に対するＨＡＲＱ−ＡＣＫ２０４はＴＤＤ ＵＬ−ＤＬ設定＃４で定義されたＨＡＲＱタイミングによってＴＤＤセルの次のアップリンクサブフレーム＃３から送信される(２０６)。
【００４５】
すなわち、端末が多数のアップリンクキャリアを介してアップリンク制御チャンネルを送信することができる能力を持っており、多数のアップリンクキャリアを介してアップリンク制御チャンネルを送信する場合、各セルでスケジューリングされたＰＤＳＣＨに対するＨＡＲＱ−ＡＣＫは、ＰＤＳＣＨがスケジューリングされた各セルに定義されているＨＡＲＱタイミングに基づいた各セルのアップリンクサブフレームから送信される。次に図２Ｂを用いてＰセルであるＴＤＤセルのダウンリンクサブフレームでスケジューリングされたＰＤＳＣＨと、ＳセルであるＦＤＤセルのダウンリンクサブフレームでスケジューリングされたＰＤＳＣＨのために本発明で提案するＨＡＲＱタイミング方法に対して説明する。
【００４６】
第２実施形態
第２実施形態は端末が多数のアップリンクキャリアを介してアップリンク制御チャンネルを送信することができる能力を持っており、これにより多数のアップリンクキャリアを介して制御チャンネルを送信する場合を仮定する。また、第１実施形態はＰセルがＴＤＤ方式を用い、ＳセルがＦＤＤ方式を用いる場合を仮定する。
【００４７】
図２Ｂは、本発明で提案するアップリンク制御チャンネル送信時点に対する第２実施形態を示す。図２Ｂを参照すれば無線通信システムは互いに異なるデュプレックス方式を用いるセル２１１、２１２が共存する構造を持つ。図２ＢでＰセル２１１はＴＤＤ方式を用い、ＴＤＤ ＵＬ−ＤＬ設定＃４によってダウンリンクサブフレームとアップリンクサブフレームが設定されている。Ｓセル２１２はＦＤＤ方式を用い、ダウンリンク送信のための周波数はｆ１であり、アップリンク送信のための周波数はｆ２である。Ｐセル２１１及びＳセル２１２はそれぞれ＃ｎのダウンリンクサブフレームから端末にスケジューリング情報を送信し、スケジューリング情報によってダウンリンクデータを送信する。
【００４８】
図２Ｂによる実施形態で、端末は多数のアップリンクキャリアを介してアップリンク制御チャンネルを送信することができる能力を持っており、これによって多数のアップリンクキャリアを介してアップリンク制御チャンネルを送信する。端末が多数のアップリンクキャリアを介してアップリンク制御チャンネルを送信する場合、各セルのダウンリンクサブフレームから送信されたダウンリンクデータに対するアップリンク制御チャンネルの送信は各セルで個別的でなり、各セルで定義された送信時点に対応するサブフレームから送信される。
【００４９】
具体的に、前記端末にＰＤＳＣＨ２１３が Ｐセル２１１、すなわちＴＤＤセルでスケジューリングされると、前記ＰＤＳＣＨ２１３に対するＨＡＲＱ−ＡＣＫ２１４はＴＤＤセルで定義されたＨＡＲＱタイミングによってＴＤＤセルのアップリンクサブフレームから送信される。例えば、ＰＤＳＣＨ２１３がＴＤＤセルのダウンリンクサブフレーム＃７から送信された場合、ＰＤＳＣＨ２１３に対するＨＡＲＱ−ＡＣＫ２１４はＴＤＤ ＵＬ−ＤＬ設定＃４で定義されたＨＡＲＱタイミングによって ＴＤＤセルの次のアップリンクサブフレーム＃３から送信される。
【００５０】
類似に、前記端末にＰＤＳＣＨ２１５がＳセル２１２、すなわちＦＤＤセルでスケジューリングされると、前記ＰＤＳＣＨ２１５に対するＨＡＲＱ−ＡＣＫはＦＤＤセルで定義されているＨＡＲＱタイミングによってＦＤＤセルのアップリンクサブフレームから送信される。例えば、ＰＤＳＣＨ２１５がＦＤＤセルのダウンリンクサブフレーム＃７から送信された場合、ＰＤＳＣＨ２０３に対するＨＡＲＱ−ＡＣＫ２０４はＴＤＤ ＵＬ−ＤＬ設定＃４で定義されたＨＡＲＱタイミングによってＴＤＤセルの次のアップリンクサブフレーム＃１から送信される(２１６)。
【００５１】
すなわち、端末が多数のアップリンクキャリアを介してアップリンク制御チャンネルを送信することができる能力を持っており、多数のアップリンクキャリアを介してアップリンク制御チャンネルを送信する場合、各セルでスケジューリングされたＰＤＳＣＨに対するＨＡＲＱ−ＡＣＫはＰＤＳＣＨがスケジューリングされた各セルに定義されているＨＡＲＱタイミングに基づいた各セルのアップリンクサブフレームから送信される。
【００５２】
図２Ａと図２Ｂでは、互いに異なるデュプレックス方式を用いるセルを仮定して説明したが、本発明で提案するＨＡＲＱタイミング方法は各セルのデュプレックス方式に関係せず適用されることができる。
【００５３】
次に、端末が多数のアップリンクキャリアを介してアップリンク制御チャンネルを送信することができる能力を持るか、或いは１個のアップリンクキャリアを介してアップリンク制御チャンネルを送信することができる能力を持っており、ただ１個のアップリンクキャリアを介してアップリンク制御チャンネルを送信する場合、本発明で提案するＨＡＲＱタイミングに対して説明する。
【００５４】
端末が１個のアップリンクキャリアを介してアップリンク制御チャンネルを送信する場合、各セルのダウンリンクサブフレームでスケジューリングされたＰＤＳＣＨに対するＨＡＲＱ−ＡＣＫの送信はＰセルでなり、これによるＨＡＲＱタイミングはＰセルがどんなデュプレックス構造を持つかによって異なるように提案されることができる。
【００５５】
図３及び図４により、端末が多数のアップリンクキャリアを介してアップリンク制御チャンネルを送信することができる能力を持つか、或いは１個のアップリンクキャリアを介してアップリンク制御チャンネルを送信することができる能力を持っており、ただ１個のアップリンクキャリアを介してアップリンク制御チャンネルを送信する場合、本発明で提案するＨＡＲＱタイミングに対してさらに詳しく説明する。
【００５６】
図３は、本発明で提案する１個のアップリンクキャリアを通じる制御チャンネル送信に対する第３ 実試形態を示したもので、図４Ａ乃至図４Ｃは本発明で提案する多数のアップリンクキャリアを通じる制御チャンネル送信に対する第４実施形態、第５実施形態、第６実施形態を示したものである。
【００５７】
先ず、図３を用いてＰセルであるＦＤＤセルのダウンリンクサブフレームでスケジューリングされたＰＤＳＣＨと、ＳセルであるＴＤＤセルのダウンリンクサブフレームでスケジューリングされたＰＤＳＣＨのために本発明で提案するＨＡＲＱタイミング方法に対して説明する。
【００５８】
第３実施形態
第３実施形態は端末が１個または多数のアップリンクキャリアを介してアップリンク制御チャンネルを送信することができる能力を持っており、ただ１個のアップリンクキャリアを介して制御チャンネルを送信する場合を仮定する。また、第１実施形態はＰセルがＦＤＤ方式を用い、ＳセルがＴＤＤ方式を用いる場合を仮定する。
図３は、本発明で提案するアップリンク制御チャンネル送信時点に対する第３実施形態を示す。
【００５９】
図３を参照すれば無線通信システムは互いに異なるデュプレックス方式を用いるＰセル及びＳセル３０１、３０２が共存する構造を持つ。図３でＰセル３０１はＦＤＤ方式を用い、ダウンリンク送信のための周波数はｆ１であり、アップリンク送信のための周波数はｆ２である。Ｓセル３０２はＴＤＤ方式を用い、ＴＤＤ ＵＬ−ＤＬ設定＃４によってダウンリンクサブフレームとアップリンクサブフレームが設定されている。Ｐセル３０１及びＳセル３０２はそれぞれ＃ｎのダウンリンクサブフレームから端末にスケジューリング情報を送信し、スケジューリング情報によってダウンリンクデータを送信する。
【００６０】
図３による実施形態で、端末は１個または多数のアップリンクキャリアを介してアップリンク制御チャンネルを送信することができる能力を持っており、ただ１個のアップリンクキャリアを介してアップリンク制御チャンネルを送信する。本発明の一実施形態で、端末はセル内で端末の位置(センターまたはエッジ)、チャンネル状態などを基づいたシグナリングにより、多数のアップリンクキャリアを介してアップリンク制御チャンネルを送信することができる能力を持つにもかかわらず１個のアップリンクキャリアを介してのみアップリンク制御チャンネルを送信することができる。端末が１個のアップリンクキャリアを介してアップリンク制御チャンネルを送信する場合、各セルのダウンリンクサブフレームから送信されたダウンリンクデータに対するアップリンク制御チャンネルの送信はＰセルを介して行われ、Ｐセルで定義された送信時点に対応するサブフレームから送信される。
【００６１】
具体的に、前記端末にＰＤＳＣＨ３０３がＰセル３０１、すなわちＦＤＤセル３０１でスケジューリングされると、前記ＰＤＳＣＨ３０３に対するＨＡＲＱ−ＡＣＫ３０４はＦＤＤセル３０１で定義されたＨＡＲＱタイミングによってＦＤＤセル３０１のアップリンクサブフレームから送信される。例えば、ＰＤＳＣＨ３０３がＦＤＤセル３０１のダウンリンクサブフレーム＃７から送信された場合、ＰＤＳＣＨ３０３に対するＨＡＲＱ−ＡＣＫ３０４はＦＤＤセル３０１で定義されたＨＡＲＱタイミングによってＦＤＤセル３０１の次のアップリンクサブフレーム＃１から送信される。
【００６２】
一方、前記端末にＰＤＳＣＨ３０５がＳセル３０２、すなわち、ＴＤＤセルでスケジューリングされると、前記ＰＤＳＣＨ３０５に対するＨＡＲＱ−ＡＣＫはＦＤＤセル３０１で定義されているＨＡＲＱタイミングによってＦＤＤセル３０１のアップリンクサブフレームから送信される。例えば、ＰＤＳＣＨ３０５がＴＤＤセルのダウンリンクサブフレーム＃７でスケジューリングされた場合、ＰＤＳＣＨ３０５に対するＨＡＲＱ−ＡＣＫはＦＤＤセル３０１で定義されたＨＡＲＱタイミングによって４サブフレーム以後のＦＤＤセル３０１のアップリンクサブフレーム＃１から送信される(３０４)。原則的に、ＴＤＤセルのダウンリンクサブフレーム＃７でＰＤＳＣＨ３０５がスケジューリングされると、前記ＰＤＳＣＨ３０５に対するＨＡＲＱ−ＡＣＫはＴＤＤ ＵＬ−ＤＬ設定＃４によってＴＤＤセル３０２のアップリンクサブフレーム＃３から送信されるように設定されている(３０６)。しかし、ＦＤＤセルがＰセルであり、ＴＤＤセルがＳセルであるとき、端末が多数のアップリンクキャリアを介してアップリンク制御チャンネルを送信することができる能力を持っているか、若しくは１個のアップリンクキャリアを介してアップリンク制御チャンネルを送信することができる能力を持っており、１個のアップリンクキャリアを介してアップリンク制御チャンネルを送信する場合、各セルでスケジューリングされたＰＤＳＣＨに対するＨＡＲＱ−ＡＣＫはＦＤＤセルのＨＡＲＱタイミングによってＰセルであるＦＤＤセルのアップリンクサブフレームから送信される。次に図４Ａ乃至図４Ｃを用いてＰセルであるＴＤＤセルのダウンリンクサブフレームでスケジューリングされたＰＤＳＣＨと、ＳセルであるＦＤＤセルのダウンリンクサブフレームでスケジューリングされたＰＤＳＣＨのために本発明で提案するＨＡＲＱタイミング方法に対して説明する。
先ず、図４Ａを用いて本発明で提案する１個のアップリンクキャリアを通じて制御チャンネル送信に対する第４実施形態を説明する。
【００６３】
第４実施形態
第４実施形態は端末が１個または多数のアップリンクキャリアを介してアップリンク制御チャンネルを送信することができる能力を持っており、ただ１個のアップリンクキャリアを介して制御チャンネルを送信する場合を仮定する。また、第４実施形態はＰセルがＴＤＤ方式を用い、ＳセルがＦＤＤ方式を用いる場合を仮定する。
図４Ａは、本発明で提案するアップリンク制御チャンネル送信時点に対する第４実施形態を示す。
【００６４】
図４Ａを参照すれば無線通信システムは互いに異なるデュプレックス方式を用いるＰセル及びＳセル４０１、４０２が共存する構造を持つ。図４ＡでＰセル４０１はＴＤＤ方式を用い、ＴＤＤ ＵＬ−ＤＬ設定＃１によってダウンリンクサブフレームとアップリンクサブフレームが設定されている。Ｓセル４０２はＦＤＤ方式を用い、ダウンリンク送信のための周波数はｆ１であり、アップリンク送信のための周波数はｆ２である。Ｐセル４０１及びＳセル４０２はそれぞれ＃ｎのダウンリンクサブフレームから端末にスケジューリング情報を送信し、スケジューリング情報によってダウンリンクデータを送信する。
【００６５】
図４Ａによる実施形態で、端末は１個または多数のアップリンクキャリアを介してアップリンク制御チャンネルを送信することができる能力を持っており、ただ１個のアップリンクキャリアを介してアップリンク制御チャンネルを送信する。端末が１個のアップリンクキャリアを介してアップリンク制御チャンネルを送信する場合、各セルのダウンリンクサブフレームから送信されたダウンリンクデータに対するアップリンク制御チャンネルの送信はＰセルを介して行われ、Ｐセルで定義された送信時点に対応するサブフレームから送信される。
【００６６】
具体的に、前記端末にＰＤＳＣＨ４０３がＰセル４０１、すなわちＴＤＤセル４０１でスケジューリングされると、前記ＰＤＳＣＨ４０３に対するＨＡＲＱ−ＡＣＫ４０４はＴＤＤセル４０１のＵＬ−ＤＬ設定＃１で定義されたＨＡＲＱタイミングによってＴＤＤセル４０１のアップリンクサブフレームから送信される。例えば、ＰＤＳＣＨ４０３がＴＤＤセル４０１のダウンリンクサブフレーム＃０または＃１から送信された場合、ＰＤＳＣＨ４０３に対するＨＡＲＱ−ＡＣＫ４０４はＴＤＤ ＵＬ−ＤＬ設定＃１で定義されたＨＡＲＱタイミングによってＴＤＤセル４０１のアップリンクサブフレーム＃７から送信される。ＴＤＤセル４０１ダウンリンクサブフレームのそれぞれで送信されたＰＤＳＣＨに対するＴＤＤ ＵＬ−ＤＬ設定＃１で定義されたＨＡＲＱタイミングが図４Ａに示されている。
【００６７】
一方、前記端末にＰＤＳＣＨ４０９がＳセル４０２、すなわちＦＤＤセル４０２でスケジューリングされると、ＰＤＳＣＨ４０９に対するＨＡＲＱ−ＡＣＫは次のようなＨＡＲＱタイミングによってＴＤＤセル４０１のアップリンクサブフレームから送信される。
【００６８】
ＴＤＤセル４０１及びＦＤＤセル４０２に対するＰＤＳＣＨが同一時点で送信された場合、ＴＤＤセル４０１によって定義された時点でＦＤＤセル４０２に対するＨＡＲＱ−ＡＣＫが送信される。すなわち、ＰＤＳＣＨ４０９がＴＤＤセル４０１のダウンリンクサブフレームと同じ位置のＦＤＤセル４０２のダウンリンクサブフレームから送信された場合(４０５、４０６)、ＰＤＳＣＨに相応するＨＡＲＱ−ＡＣＫはＴＤＤセル４０１のＵＬ−ＤＬ設定に定義されたＨＡＲＱタイミングによってＴＤＤセル４０１のアップリンクサブフレームから送信される(４０４)。
【００６９】
ＴＤＤセル４０１及びＦＤＤセル４０２に対するＰＤＳＣＨが同一時点で送信されない場合、ＴＤＤセル４０１のダウンリンクサブフレームのうちのＦＤＤセル４０２のＰＤＳＣＨ送信時点で最も近接した以前サブフレームからＦＤＤセル４０２に対するＨＡＲＱ−ＡＣＫが送信される。すなわち、ＰＤＳＣＨ４０９がＴＤＤセル４０１のアップリンクサブフレームと同じ位置のＦＤＤセル４０２のダウンリンクサブフレームから送信された場合(４０７、４０８)、ＰＤＳＣＨに相応するＨＡＲＱ−ＡＣＫはＰＤＳＣＨらがスケジューリングされたダウンリンクサブフレーム以前のＴＤＤセル４０１のダウンリンクサブフレームのうち、最も近いダウンリンクサブフレームで定義されたＨＡＲＱタイミングに送信される。
【００７０】
前記ＨＡＲＱタイミングによる場合に端末がＰＤＳＣＨを受信した後、４サブフレームのプロセッシング時間が保障されることができない場合があり得る。この場合は例外的に当該ＦＤＤセル４０２のダウンリンクサブフレームでスケジューリングされたＰＤＳＣＨに相応するＨＡＲＱ−ＡＣＫは、当該ＦＤＤセル４０２のダウンリンクサブフレーム以後に存在する最も近いＴＤＤセル４０１のダウンサブフレームに対して定義されたＨＡＲＱタイミングに送信される。
【００７１】
前記第４実施形態によれば、端末がＦＤＤセル４０２でスケジューリングされたＰＤＳＣＨに対してできるだけ早いＨＡＲＱ−ＡＣＫ(フィードバック)を送信するようにすることによってデータ送信率を増加させることができる。
【００７２】
前記第４実施形態によって、図４ＡでＴＤＤセル４０１のダウンリンクサブフレーム＃０または＃１と同じ位置であるＦＤＤセル４０２のダウンリンクサブフレーム＃０または＃１から送信されたＰＤＳＣＨ４０５、４０６に対するＨＡＲＱ−ＡＣＫは、ＴＤＤセル４０１のダウンリンクサブフレーム＃０または＃１で定義されたＵＬ−ＤＬ設定＃１のＨＡＲＱタイミングによってＴＤＤセル４０１のアップリンクサブフレーム＃７から送信される。
【００７３】
ＴＤＤセル４０１のアップリンクサブフレーム＃２または＃３と同じ位置であるＦＤＤセル４０２のダウンリンクサブフレーム＃２または＃３で送信されたＰＤＳＣＨ４０７、４０８に対するＨＡＲＱ−ＡＣＫは、ダウンリンクサブフレーム＃２または＃３で以前のＴＤＤセル４０１のサブフレームのうちで最も近いダウンリンクサブフレームである＃１で定義されたＨＡＲＱタイミングによって、ＴＤＤセル４０１のアップリンクサブフレーム＃７から送信される。
【００７４】
すなわち、前記ＰＤＳＣＨ４０７、４０８がスケジューリングされたダウンリンクサブフレーム＃２または＃３以前のダウンリンクサブフレームのうちで最も近いＴＤＤセル４０１ダウンリンクサブフレームであるＴＤＤセル４０１のダウンリンクサブフレーム＃１に相応して定義されたＨＡＲＱタイミングによってＨＡＲＱ−ＡＣＫが送信される。ＴＤＤセル４０１のダウンリンクサブフレーム＃１に相応して定義されたＨＡＲＱ−ＡＣＫタイミングはＴＤＤセル４０１のアップリンクサブフレーム＃７であるから、ＴＤＤセル４０１のアップリンクサブフレーム＃７から前記ＰＤＳＣＨ４０７、４０８に対するＨＡＲＱ−ＡＣＫが送信される。
【００７５】
結論的に、端末にＰＤＳＣＨ４０９がＦＤＤセル４０２でスケジューリングされると、前記ＦＤＤセルでスケジューリングされたＰＤＳＣＨのためのＨＡＲＱ−ＡＣＫは第４実施形態によってＴＤＤセルのアップリンクサブフレームから送信される。
次に、図４Ｂを用いて本発明で提案する１個のアップリンクキャリアを通じる制御チャンネル送信に対する第５実施形態を説明する。
【００７６】
第５実施形態
第５実施形態は端末が１個または多数のアップリンクキャリアを介してアップリンク制御チャンネルを送信することができる能力を持っており、ただ１個のアップリンクキャリアを介して制御チャンネルを送信する場合を仮定する。また、第５実施形態はＰセルがＴＤＤ方式を用い、ＳセルがＦＤＤ方式を用いる場合を仮定する。
図４Ｂは、本発明で提案するアップリンク制御チャンネル送信時点に対する第５実施形態を示す。
【００７７】
図４Ｂを参照すれば無線通信システムは互いに異なるデュプレックス方式を用いるＰセル及びＳセル４１１、４１２が共存する構造を持つ。図４ＢでＰセル４１１はＴＤＤ方式を用い、ＴＤＤ ＵＬ−ＤＬ設定＃１によってダウンリンクサブフレームとアップリンクサブフレームが設定されている。Ｓセル４１２はＦＤＤ方式を用い、ダウンリンク送信のための周波数はｆ１であり、アップリンク送信のための周波数はｆ２である。Ｐセル４１１及びＳセル４１２はそれぞれ＃ｎのダウンリンクサブフレームから端末にスケジューリング情報を送信し、スケジューリング情報によってダウンリンクデータを送信する。
【００７８】
図４Ｂによる実施形態で、端末は１個または多数のアップリンクキャリアを介してアップリンク制御チャンネルを送信することができる能力を持っており、ただ１個のアップリンクキャリアを介してアップリンク制御チャンネルを送信する。端末が１個のアップリンクキャリアを介してアップリンク制御チャンネルを送信する場合、各セルのダウンリンクサブフレームから送信されたダウンリンクデータに対するアップリンク制御チャンネルの送信はＰセルを介して行われ、Ｐセルで定義された送信時点に対応するサブフレームから送信される。
【００７９】
具体的に、前記端末にＰＤＳＣＨ４１３がＰセル４１１、すなわち、ＴＤＤセル４１１でスケジューリングされると、前記ＰＤＳＣＨ４１３に対するＨＡＲＱ−ＡＣＫ４１４はＴＤＤセル４１１のＵＬ−ＤＬ設定＃１で定義されたＨＡＲＱタイミングによってＴＤＤセル４１１のアップリンクサブフレームから送信される。例えば、ＰＤＳＣＨ４１３がＴＤＤセル４１１のダウンリンクサブフレーム＃０または＃１から送信された場合、ＰＤＳＣＨ４１３に対するＨＡＲＱ−ＡＣＫ４１４はＴＤＤ ＵＬ−ＤＬ設定＃１で定義されたＨＡＲＱタイミングによってＴＤＤセル４１１のアップリンクサブフレーム＃７から送信される。ＴＤＤセル４１１ダウンリンクサブフレームのそれぞれで送信されたＰＤＳＣＨに対するＴＤＤ ＵＬ−ＤＬ設定＃１で定義されたＨＡＲＱタイミングが図４Ｂに示されている。
【００８０】
一方、前記端末にＰＤＳＣＨ４１９がＳセル４１２、すなわちＦＤＤセル４１２でスケジューリングされると、ＰＤＳＣＨ４１９に対するＨＡＲＱ−ＡＣＫは次のようなＨＡＲＱタイミングによってＴＤＤセル４１１のアップリンクサブフレームから送信される。ＴＤＤセル４１１及びＦＤＤセル４１２に対するＰＤＳＣＨが同一時点で送信された場合、ＴＤＤセル４１１によって定義された時点でＦＤＤセル４１２に対するＨＡＲＱ−ＡＣＫが送信される。すなわち、ＰＤＳＣＨ４１９がＴＤＤセル４１１のダウンリンクサブフレームと同じ位置のＦＤＤセル４１２のダウンリンクサブフレームから送信された場合(４１５、４１６)、ＰＤＳＣＨに相応するＨＡＲＱ−ＡＣＫはＴＤＤセル４１１のＵＬ−ＤＬ設定に定義されたＨＡＲＱタイミングによってＴＤＤセル４１１のアップリンクサブフレームから送信される(４１４)。
【００８１】
ＴＤＤセル４１１及びＦＤＤセル４１２に対するＰＤＳＣＨが同一時点で送信されない場合、ＴＤＤセル４１１のダウンリンクサブフレームのうちのＦＤＤセル４１２のＰＤＳＣＨ送信時点で最も近接した以前または以後のサブフレームでＦＤＤセル４１２に対するＨＡＲＱ−ＡＣＫが送信される。すなわち、ＰＤＳＣＨ４１９がＴＤＤセル４１１のアップリンクサブフレームと同じ位置のＦＤＤセル４１２のダウンリンクサブフレームから送信された場合(４１７、４１８)、ＰＤＳＣＨに相応するＨＡＲＱ−ＡＣＫはＰＤＳＣＨがスケジューリングされたダウンリンクサブフレーム以前及び以後のＴＤＤセル４１１のダウンリンクサブフレームのうち、最も近いＴＤＤセル４１１のダウンリンクサブフレームで定義されたＨＡＲＱタイミングに送信される。もし、最も近いダウンリンクサブフレームの個数が２個以上であれば、ＨＡＲＱ−ＡＣＫはサブフレームインデックスがより小さいダウンリンクサブフレームに対して定義されたＨＡＲＱタイミングに送信される。
【００８２】
前記ＨＡＲＱタイミングによる場合に端末がＰＤＳＣＨを受信した後、４サブフレームのプロセッシング時間が保障されることができない場合があり得る。この場合は、例外的に当該のＦＤＤセル４１２のダウンリンクサブフレームでスケジューリングされたＰＤＳＣＨに相応するＨＡＲＱ−ＡＣＫは、当該のＦＤＤセル４１２のダウンサブフレーム以後に存在する最も近いＴＤＤセル４１１のダウンリンクサブフレームで定義されたＨＡＲＱタイミングによる。
【００８３】
前記第５実施形態によれば、端末がＦＤＤセル４１２のダウンリンクサブフレームでスケジューリングされたＰＤＳＣＨに対するＨＡＲＱ−ＡＣＫフィードバックをＴＤＤセル４１１のすべてのアップリンクサブフレームに均等に送信するようにすることで、特定アップリンクサブフレームですぎるほど多いＨＡＲＱ−ＡＣＫフィードバックが送信されることを阻むことができる。
【００８４】
前記第５実施形態によって、図４ＢでＴＤＤセル４１１のダウンリンクサブフレーム＃０または＃１と同じ位置であるＦＤＤセル４１２のダウンリンクサブフレーム＃０または＃１から送信されたＰＤＳＣＨ４１５、４１６に対するＨＡＲＱ−ＡＣＫは、ＴＤＤセル４１１のダウンリンクサブフレーム＃０または＃１で定義されたＵＬ−ＤＬ設定＃１のＨＡＲＱタイミングによってＴＤＤセル４１１のアップリンクサブフレーム＃７から送信される。
【００８５】
ＴＤＤセル４１１のアップリンクサブフレーム＃２または＃３と同じ位置であるＦＤＤセル４１２のダウンリンクサブフレーム＃２または＃３から送信されたＰＤＳＣＨ４１７、４１８に対するＨＡＲＱ−ＡＣＫは、ダウンリンクサブフレーム＃２または＃３で以前または以後のＴＤＤセル４１１のサブフレームのうちの最も近いダウンリンクサブフレームである＃１または＃４で定義されたＨＡＲＱタイミングによって、ＴＤＤセル４１１のアップリンクサブフレーム＃７または＃８でそれぞれ送信される。
【００８６】
すなわち、前記ＰＤＳＣＨ４１７がスケジューリングされたダウンリンクサブフレーム＃２の以前または以後のダウンリンクサブフレームのうちの最も近いダウンリンクサブフレームであるＴＤＤセル４１１のダウンリンクサブフレーム＃１に対応して定義されたＨＡＲＱタイミングによってＴＤＤセル４１１のアップリンクサブフレーム＃７で前記ＰＤＳＣＨ４１７に対するＨＡＲＱ−ＡＣＫが送信される。また、前記ＰＤＳＣＨ４１８がスケジューリングされたダウンリンクサブフレーム＃３の以前または以後のダウンリンクサブフレームのうちの最も近いダウンリンクサブフレームであるＴＤＤセル４１１のダウンリンクサブフレーム＃４に対応して定義されたＨＡＲＱタイミングによってＴＤＤセル４１１のアップリンクサブフレーム＃８で前記ＰＤＳＣＨ４１８に対するＨＡＲＱ−ＡＣＫが送信される。
【００８７】
結論的に、前記端末にＰＤＳＣＨ４１９がＦＤＤセルでスケジューリングされると、前記ＦＤＤセルでスケジューリングされたＰＤＳＣＨのためのＨＡＲＱ−ＡＣＫは第５実施形態によってＴＤＤセルのアップリンクサブフレームから送信される。
次に、図４Ｃを用いて本発明で提案する１個のアップリンクキャリアを通じる制御チャンネル送信に対する第６実試形態を説明する。
【００８８】
第６実施形態
第６実施形態は端末が１個または多数のアップリンクキャリアを介してアップリンク制御チャンネルを送信することができる能力を持っており、ただ１個のアップリンクキャリアを介して制御チャンネルを送信する場合を仮定する。また、第６実施形態はＰセルがＴＤＤ方式を用い、ＳセルがＦＤＤ方式を用いる場合を仮定する。
図４Ｃは本発明で提案するアップリンク制御チャンネル送信時点に対する第６実施形態を示す。
【００８９】
図４Ｃを参照すれば無線通信システムは互いに異なるデュプレックス方式を用いるＰセル及びＳセル４２１、４２２が共存する構造を持つ。図４ＣでＰセル４２１はＴＤＤ方式を用い、ＴＤＤ ＵＬ−ＤＬ設定＃１によってダウンリンクサブフレームとアップリンクサブフレームが設定されている。Ｓセル４２２はＦＤＤ方式を用い、ダウンリンク送信のための周波数はｆ１であり、アップリンク送信のための周波数はｆ２である。Ｐセル４２１及びＳセル４２２はそれぞれ＃ｎのダウンリンクサブフレームから端末にスケジューリング情報を送信し、スケジューリング情報によってダウンリンクデータを送信する。
【００９０】
図４Ｃによる実施形態で、端末は１個または多数のアップリンクキャリアを介してアップリンク制御チャンネルを送信することができる能力を持っており、ただ１個のアップリンクキャリアを介してアップリンク制御チャンネルを送信する。端末が１個のアップリンクキャリアを介してアップリンク制御チャンネルを送信する場合、各セルのダウンリンクサブフレームから送信されたダウンリンクデータに対するアップリンク制御チャンネルの送信はＰセルを介して行われ、Ｐセルで定義された送信時点に対応するサブフレームから送信される。
【００９１】
具体的に、前記端末にＰＤＳＣＨ４２３がＰセル４２１、すなわちＴＤＤセル４２１でスケジューリングされると、前記ＰＤＳＣＨ４２３に対するＨＡＲＱ−ＡＣＫ４２４はＴＤＤセル４２１のＵＬ−ＤＬ設定 ＃１で定義されたＨＡＲＱタイミングによってＴＤＤセル４２１のアップリンクサブフレームから送信される。例えば、ＰＤＳＣＨ４２３がＴＤＤセル４２１のダウンリンクサブフレーム＃４から送信された場合、ＰＤＳＣＨ４２３に対するＨＡＲＱ−ＡＣＫ４２４はＴＤＤ ＵＬ−ＤＬ設定 ＃１で定義されたＨＡＲＱタイミングによってＴＤＤセル４２１のアップリンクサブフレーム＃８から送信される。
【００９２】
一方、前記端末にＰＤＳＣＨ４２８がＦＤＤセル４２２でスケジューリングされると、ＰＤＳＣＨ４２８に対するＨＡＲＱ−ＡＣＫは次のようなＨＡＲＱタイミングによってＴＤＤセル４２１のアップリンクサブフレームから送信される。ＴＤＤセル４２１及びＦＤＤセル４２２に対するＰＤＳＣＨが同一時点で送信された場合、ＴＤＤセル４２１によって定義された時点でＦＤＤセル４２２に対するＨＡＲＱ−ＡＣＫが送信される。すなわち、ＰＤＳＣＨ４２８がＴＤＤセル４２１のダウンリンクサブフレームと同じ位置のＦＤＤセル４２２のダウンリンクサブフレームから送信された場合(４２７)、ＰＤＳＣＨに相応するＨＡＲＱ−ＡＣＫはＴＤＤセル４２１のＵＬ−ＤＬ設定に定義されたＨＡＲＱタイミングによってＴＤＤセル４２１のアップリンクサブフレームから送信される(４２４)。
【００９３】
ＴＤＤセル４２１及びＦＤＤセル４２２に対するＰＤＳＣＨが同一時点で送信されない場合、ＴＤＤセル４２１のダウンリンクサブフレームのうち、ＦＤＤセル４２２のＰＤＳＣＨ送信時点で最も近接した以後サブフレームでＦＤＤセル４２２に対するＨＡＲＱ−ＡＣＫが送信される。すなわち、ＰＤＳＣＨ４２８がＴＤＤセル４２１のアップリンクサブフレームと同じ位置のＦＤＤセル４２２のダウンリンクサブフレームから送信された場合(４２５、４２６)、ＰＤＳＣＨに相応するＨＡＲＱ−ＡＣＫはＰＤＳＣＨがスケジューリングされたダウンリンクサブフレーム以後のＴＤＤセル４２１のダウンリンクサブフレームのうち、ＦＤＤセル４２２でＰＤＳＣＨがスケジューリングされたダウンリンクサブフレームと最も近いダウンリンクサブフレームで定義されたＨＡＲＱタイミングに送信される。
前記第６実施形態によれば、追加的な条件判定無しに常に４サブフレームのプロセッシング時間が保障される。
【００９４】
前記第６実施形態によって、図４ＣでＴＤＤセル４２１のダウンリンクサブフレーム＃４と同じな位置であるＦＤＤセル４２２のダウンリンクサブフレーム＃４から送信されたＰＤＳＣＨ４２７に対するＨＡＲＱ−ＡＣＫはＴＤＤセル４２１のダウンリンクサブフレーム＃４で定義されたＵＬ−ＤＬ設定＃１のＨＡＲＱタイミングによってＴＤＤセル４２１のアップリンクサブフレーム＃８から送信される。ＴＤＤセル４２１のアップリンクサブフレーム＃２または＃３と同じ位置であるＦＤＤセル４２２のダウンリンクサブフレーム＃２または＃３から送信されたＰＤＳＣＨ４２５、４２６に対するＨＡＲＱ−ＡＣＫは、ダウンリンクサブフレーム＃２または＃３以後のＴＤＤセル４２１のダウンリンクサブフレームのうちの最も近いダウンリンクサブフレームであるＴＤＤセル４２１のダウンリンクサブフレーム＃４に対応して定義されたＨＡＲＱタイミングによって、アップリンクサブフレーム＃８から送信される。結論的に、前記端末にＰＤＳＣＨ４２８がＦＤＤセルでスケジューリングされると、前記ＦＤＤセルでスケジューリングされたＰＤＳＣＨのためのＨＡＲＱ−ＡＣＫは第６実施形態によってＴＤＤセルのアップリンクサブフレームから送信される。
以下では、端末の能力によるアップリンク制御チャンネル送信過程を基地局または端末の立場で具体的に説明する。
図５Ａは、本発明で提案する端末の能力による基地局の制御チャンネル送信過程の第１実施形態に対するフローチャートである。
【００９５】
第１実施形態で、無線通信システムは端末が１個のアップリンクキャリアを介してのみアップリンク制御チャンネルを送信することができる能力を持っているか、若しくは多数のアップリンクキャリアを介してアップリンク制御チャンネルを送信することができる能力を持っているか否かに基づいてＨＡＲＱタイミングを適用する。
【００９６】
段階５０１で基地局は端末から端末の能力(ｃａｐａｂｉｌｉｔｙ)に対する情報を受信する。この時、端末の能力に対する情報は端末がアップリンク制御チャンネルを送信することができるアップリンクキャリアの個数情報を含むことができる。すなわち、端末の能力に対する情報は端末が１個のアップリンクキャリアでばかりアップリンク制御チャンネルを送信することができるか、又は多数のアップリンクキャリアでアップリンク制御チャンネルを送信することができるか否かに対する情報を含むことができる。
【００９７】
段階５０２で基地局は端末のためにサブフレーム＃ｎで各セルでのダウンリンクデータに対するスケジューリングを決定してスケジューリング情報及びダウンリンクデータを端末へ送信する。前記のセルはＦＤＤセルまたはＴＤＤセルののうちのいずれか１個であることができる。
【００９８】
次に、段階５０３で基地局は端末が１個のアップリンクキャリアでばかりアップリンク制御チャンネルを送信することができるかを判定する。具体的に、基地局は端末の能力情報に基づいて端末が１個のアップリンクキャリアでアップリンク制御チャンネルを送信することができるか、若しくは多数のアップリンクキャリアでアップリンク制御チャンネルを送信することができるか否かを判定する。
【００９９】
段階５０３の判定結果、端末が１個のアップリンクキャリアでばかりアップリンク制御チャンネルを送信することができる能力を持っていると、基地局は段階５０４による動作を進行する。
【０１００】
段階５０４で基地局は各セルのサブフレーム＃ｎで送信したダウンリンクデータに対するアップリンク制御チャンネルを受信する。すなわち基地局は各セルのサブフレーム＃ｎから送信したＰＤＳＣＨに対するＨＡＲＱ−ＡＣＫを受信する。この時、基地局はＨＡＲＱ−ＡＣＫをＰセルのアップリンクサブフレームで受信し、図３及び図４Ａ乃至４Ｃを参照して説明された第３実施形態、第４実施形態及び第５実施形態のうちのいずれか一方式で定義された時点で受信する。
【０１０１】
具体的に、基地局は前記段階５０４でＦＤＤセルがＰセルであり、ＴＤＤセルがＳセルの場合、図３の第３実施形態によってＨＡＲＱ−ＡＣＫのための受信することができ、ＴＤＤセルがＰセルであり、ＦＤＤセルがＳセルの場合、図４Ａ乃至４Ｃの第４実施形態、第５実施形態、第６実施形態のうちのいずれか一方式によってＨＡＲＱ−ＡＣＫを受信することができる。
【０１０２】
段階５０３の判定結果、端末が１個のアップリンクキャリアでばかりアップリンク制御チャンネルを送信することができなければ、すなわち端末が多数のアップリンクキャリアでアップリンク制御チャンネルを送信することができる能力を持っていると、基地局は段階 ５０５による動作を進行する。
【０１０３】
段階５０５で基地局は各セルのサブフレーム＃ｎから送信したダウンリンクデータに対するアップリンク制御チャンネルを受信する。すなわち、基地局は各セルのサブフレーム＃ｎから送信したＰＤＳＣＨに対するＨＡＲＱ−ＡＣＫを各セルのアップリンクサブフレームで受信する。この時、基地局は本発明の第１ 実施形態、第２実施形態のいずれか一方式で定義された時点にＨＡＲＱ−ＡＣＫを受信する。
【０１０４】
具体的に、基地局は前記段階５０５でＦＤＤセルがＰセルであり、ＴＤＤセルがＳセルである場合、図２Ａの第１実施形態によって各セルでＨＡＲＱ−ＡＣＫを受信することができ、ＴＤＤセルがＰセルであり、ＦＤＤセルがＳセルである場合、図２Ｂの第２実施形態によって各セルでＨＡＲＱ−ＡＣＫを受信することができる。
図５Ｂは、本発明で提案する端末の能力による端末の制御チャンネル送信過程の第１実施形態に対するフローチャートである。
【０１０５】
第１実施形態で、無線通信システムは端末が１個のアップリンクキャリアを介してアップリンク制御チャンネルを送信することができる能力を持っているか、若しくは多数のアップリンクキャリアを介してアップリンク制御チャンネルを送信することができる能力を持っているか否かに基づいてＨＡＲＱタイミングを適用する。
【０１０６】
段階５１１で端末は基地局に端末の能力に対する情報を送信する。この時、端末の能力に対する情報は端末がアップリンク制御チャンネルを送信することができるアップリンクキャリアの個数情報を含むことができる。すなわち、端末の能力に対する情報は端末が１個のアップリンクキャリアでばかりアップリンク制御チャンネルを送信することができるか、若しくは多数のアップリンクキャリアでアップリンク制御チャンネルを送信することができるか否かに対する情報を含むことができる。
【０１０７】
段階５１２で端末は基地局からサブフレーム＃ｎで各セルでのスケジューリング情報及びスケジューリング情報によるダウンリンクデータを受信する。前記のセルはＦＤＤセルまたはＴＤＤセルのうちのいずれか１個であることができる。
【０１０８】
次に、段階５１３で端末は端末自分が１個のアップリンクキャリアでばかりアップリンク制御チャンネルを送信することができるかを判定する。具体的に、端末は端末の能力によって、端末が１個のアップリンクキャリアでアップリンク制御チャンネルを送信することができるか、若しくは多数のアップリンクキャリアでアップリンク制御チャンネルを送信することができるか否かを判定する。
【０１０９】
段階５１３の判定結果端末が１個のアップリンクキャリアでばかりアップリンク制御チャンネルを送信することができる能力を持っていると、端末は段階 ５１４による動作を進行する。
【０１１０】
段階５１４で端末は各セルのサブフレーム＃ｎで受信したダウンリンクデータに対するアップリンク制御チャンネルを送信する。すなわち、端末は各セルのサブフレーム＃ｎで受信したＰＤＳＣＨに対するＨＡＲＱ−ＡＣＫを送信する。この時、端末はＨＡＲＱ−ＡＣＫをＰセルのサブフレームでＨＡＲＱ−ＡＣＫを送信し、図３及び図４Ａ乃至４Ｃを参照して説明された第３実施形態、第４実施形態及び第５実施形態のうちのいずれか一方式で定義された時点で送信する。
【０１１１】
具体的に、端末は前記段階５１４でＦＤＤセルがＰセルであり、ＴＤＤセルがＳセルの場合、図３の第３実施形態によってＨＡＲＱ−ＡＣＫを送信することができ、ＴＤＤセルがＰセルであり、ＦＤＤセルがＳセルである場合、図４Ａ乃至４Ｃの第４実施形態、第５実施形態、第６実施形態のうちのいずれか一方式によってＨＡＲＱ−ＡＣＫを送信することができる。
【０１１２】
段階 ５１３の判定結果、端末が１個のアップリンクキャリアでばかりアップリンク制御チャンネルを送信することができなければ、すなわち、端末が多数のアップリンクキャリアでアップリンク制御チャンネルを送信することができる能力を持っていると、端末は段階 ５１５による動作を進行する。
【０１１３】
段階５１５で端末は各セルのサブフレーム＃ｎで受信したダウンリンクデータに対するアップリンク制御チャンネルを送信する。すなわち、端末は各セルのサブフレーム＃ｎから受信したＰＤＳＣＨに対するＨＡＲＱ−ＡＣＫを各セルのアップリンクサブフレームで送信する。この時、端末はＨＡＲＱ−ＡＣＫを本発明の第１実施形態、第２ 実施形態のうちのいずれか一方式で定義された時点で送信する。
【０１１４】
具体的に、端末は前記段階５１５でＦＤＤセルがＰセルであり、ＴＤＤセルがＳセルである場合、図２Ａの第１実施形態によって各セルで ＨＡＲＱ−ＡＣＫを送信することができ、ＴＤＤセルがＰセルであり、ＦＤＤセルがＳセルである場合、図２Ｂの第２実施形態によって各セルでＨＡＲＱ−ＡＣＫを送信することができる。
図６Ａは、本発明で提案する端末の能力による基地局の制御チャンネル送信過程の第２実施形態に対するフローチャートである。
【０１１５】
第２実施形態で、無線通信システムはアップリンク制御チャンネルを送信するためのアップリンクキャリア個数のシグナリングによって互いに異なるＨＡＲＱタイミングを適用する。前記第２方法は多数のアップリンクキャリアでアップリンク制御チャンネルを送信することができる能力を持つ端末のためにアップリンク制御チャンネルを送信することができるアップリンクキャリアの個数に対するシグナリングを用いて他のＨＡＲＱタイミングを適用するためのことである。したがって、以下図６Ａの手続きで端末は多数のアップリンクキャリアでアップリンク制御チャンネルを送信することができる能力を持つ端末を意味することができる。
【０１１６】
段階６０１で基地局は端末から端末の能力に対する情報を受信する。この時、端末の能力に対する情報は端末がアップリンク制御チャンネルを送信することができるアップリンクキャリアの個数情報を含むことができる。すなわち、端末の能力に対する情報は端末が１個のアップリンクキャリアでばかりアップリンク制御チャンネルを送信することができるか、若しくは多数のアップリンクキャリアでアップリンク制御チャンネルを送信することができるか否かに対する情報を含むことができる。
【０１１７】
段階６０２で基地局は端末にアップリンク制御チャンネル制御信号を送信する。前記アップリンク制御チャンネル制御信号はアップリンク制御チャンネルを送信することができるアップリンクキャリアの個数に対する情報を含むことができる。アップリンク制御チャンネル制御信号は前記アップリンク制御チャンネルを送信することができるアップリンクキャリア個数によって互いに異なるＨＡＲＱ タイミングを適用するようにするために用いられることができる。前記アップリンク制御チャンネル制御信号は上位信号を介して送信されることができ、ＯＮ−ＯＦＦを意味する１ビット情報であるか、ｌｏｇ(アップリンク制御チャンネルを送信することができるアップリンクキャリア個数)／ｌｏｇ(２)ビット情報であることもある。
【０１１８】
次に、段階６０３で基地局は端末に前記アップリンク制御チャンネル制御信号を介して１個のアップリンクキャリアでばかりアップリンク制御チャンネルを送信するようにしたかを判定する。
段階６０３の判定結果、端末に前記アップリンク制御チャンネル制御信号を介して１個のアップリ
ンクキャリアでばかりアップリンク制御チャンネルを送信するようにしたら、基地局は段階６０４による動作を進行する。
【０１１９】
段階６０４で基地局は端末のためにサブフレーム＃ｎで各セルでのダウンリンクデータに対するスケジューリングを決定し、スケジューリング情報及びダウンリンクデータを端末へ送信する。前記のセルはＦＤＤセルまたはＴＤＤセルのいずれか１つであることができる。
【０１２０】
段階６０５で基地局は各セルのサブフレーム＃ｎで送信したダウンリンクデータに対するアップリンク制御チャンネルを受信する。すなわち、基地局は各セルのサブフレーム＃ｎで送信したＰＤＳＣＨに対するＨＡＲＱ−ＡＣＫを受信する。この時、基地局は本発明の第３実施形態、第４実施形態、第５実施形態、第６実施形態のうちのいずれか一方式で定義された時点にＰセルのアップリンクサブフレームでＨＡＲＱ−ＡＣＫを受信する。
【０１２１】
具体的に、基地局は前記段階６０５でＦＤＤセルがＰセルであり、ＴＤＤセルがＳセルである場合、図３の第３実施形態によってＨＡＲＱ−ＡＣＫを受信することができ、ＴＤＤセルがＰセルであり、ＦＤＤセルがＳセルである場合、図４Ａ乃至４Ｃの第４実施形態、第５実施形態、第６実施形態のうちのいずれか一方式に従ってＨＡＲＱ−ＡＣＫを受信することができる。
【０１２２】
段階６０３の判定結果、端末に前記アップリンク制御チャンネル制御信号を介して１個のアップリンクキャリアでばかりアップリンク制御チャンネルを送信するようにしなかったら、すなわち、多数のアップリンクキャリアでアップリンク制御チャンネルを送信するようにしたら、段階６０６で基地局は端末のためにサブフレーム＃ｎで各セルでのダウンデータに対するスケジューリングを決定し、スケジューリング情報及びダウンリンクデータを端末へ送信する。前記のセルはＦＤＤセルまたはＴＤＤセルのうちのいずれか１つであることができる。
【０１２３】
段階６０７で基地局は各セルのサブフレーム＃ｎから送信したダウンリンクデータに対するアップリンク制御チャンネルを受信する。すなわち基地局は各セルのサブフレーム＃ｎから送信したＰＤＳＣＨに対するＨＡＲＱ−ＡＣＫを各セルのアップリンクサブフレームで受信する。この時、基地局は本発明の第１実施形態、第２実施形態のうちのいずれか一方式で定義された時点にＨＡＲＱ−ＡＣＫを受信する。
【０１２４】
具体的に、基地局は前記段階６０７でＦＤＤセルがＰセルであり、ＴＤＤセルがＳセルである場合、図２Ａの第１実施形態によって各セルでＨＡＲＱ−ＡＣＫを受信することができ、ＴＤＤセルがＰセルである、ＦＤＤセルがＳセルである場合、図２Ｂの第２実施形態によって各セルでＨＡＲＱ−ＡＣＫを受信することができる。
図６Ｂは、本発明で提案する端末の能力による端末の制御チャンネル送信過程の第２実施形態に対するフローチャートである。
【０１２５】
第２実施形態で、無線通信システムはアップリンク制御チャンネルを送信するためのアップリンクキャリア個数のシグナリングによって互いに異なるＨＡＲＱタイミングを適用する。前記第２方法は多数のアップリンクキャリアでアップリンク制御チャンネルを送信することができる能力を持つ端末のためにアップリンク制御チャンネルを送信することができるアップリンクキャリアの個数に対するシグナリングを用いて他のＨＡＲＱタイミングを適用するためのことである。したがって、以下図６Ｂの手続きで端末は多数のアップリンクキャリアでアップリンク制御チャンネルを送信することができる能力を持つ端末を意味することができる。
【０１２６】
段階６１１で端末は基地局に端末の能力に対する情報を送信する。この時、端末の能力に対する情報は端末がアップリンク制御チャンネルを送信することができるアップリンクキャリアの個数情報を含むことができる。すなわち、端末の能力に対する情報は端末が１個のアップリンクキャリアでばかりアップリンク制御チャンネルを送信することができるか、若しくは多数のアップリンクキャリアでアップリンク制御チャンネルを送信することができるか否かに対する情報を含むことができる。
【０１２７】
段階６１２で端末は基地局からアップリンク制御チャンネル制御信号を受信する。前記アップリンク制御チャンネル制御信号はアップリンク制御チャンネルを送信することができるアップリンクキャリアの個数に対する情報を含むことができる。アップリンク制御チャンネル制御信号は前記アップリンク制御チャンネルを送信することができるアップリンクキャリア個数によって互いに異なるＨＡＲＱタイミングを適用するようにするために用いられることができる。前記アップリンク制御チャンネル制御信号は上位信号を介して送信されることができ、ＯＮ−ＯＦＦを意味する１ビット情報であるか、ｌｏｇ(アップリンク制御チャンネルを送信することができるアップリンクキャリア個数)／ｌｏｇ(２)ビット情報であることもある。
【０１２８】
次に、段階６１３で端末は基地局が前記アップリンク制御チャンネル制御信号を介して１個のアップリンクキャリアでばかりアップリンク制御チャンネルを送信するように指示したかを判定する。
【０１２９】
段階６１３の判定結果、基地局が端末に前記アップリンク制御チャンネル制御信号を介して１個のアップリンクキャリアでばかりアップリンク制御チャンネルを送信するようにしたら、端末は段階６１４による動作を進行する。
【０１３０】
段階６１４で端末は基地局から各セルのサブフレーム＃ｎで各セルでのダウンリンクデータに対するスケジューリングを受信し、ダウンリンクデータを受信する。前記のセルはＦＤＤセルまたはＴＤＤセルのいずれか１つであることができる。
【０１３１】
段階６１５で端末は各セルのサブフレーム＃ｎから受信したダウンリンクデータに対するアップリンク制御チャンネルを送信する。すなわち、端末は各セルのサブフレーム＃ｎから受信したＰＤＳＣＨに対するＨＡＲＱ−ＡＣＫを送信する。この時、端末は本発明の第３実施形態、第４実施形態、第５実施形態、第６実施形態のうちのいずれか一方式で定義された時点に当該のＰセルのアップリンクサブフレームでＨＡＲＱ−ＡＣＫを送信する。
【０１３２】
具体的に、端末は前記段階６１５でＦＤＤセルがＰセルであり、ＴＤＤセルがＳセルである場合、図３の第３実施形態によって ＨＡＲＱ−ＡＣＫを送信することができ、ＴＤＤセルがＰセルであり、ＦＤＤセルがＳセルである場合、図４Ａ乃至４Ｃの第４ 実施形態、第５ 実施形態、第６実施形態のうちのいずれか一方式によってＨＡＲＱ−ＡＣＫを送信することができる。
【０１３３】
段階６１３の判定結果、端末に前記アップリンク制御チャンネル制御信号を介して１個のアップリンクキャリアでばかりアップリンク制御チャンネルを送信するようにしなかったら、すなわち、多数のアップリンクキャリアでアップリンク制御チャンネルを送信するようにしたら、段階６１６で端末はサブフレーム＃ｎで各セルでのダウンリンクデータに対するスケジューリングを受信し、ダウンリンクデータを受信する。前記のセルはＦＤＤセルまたはＴＤＤセルのいずれか１つであることができる。
【０１３４】
段階６１７で端末は各セルのサブフレーム＃ｎから受信したダウンリンクデータに対するアップリンク制御チャンネルを送信する。すなわち、端末は各セルのサブフレーム＃ｎから受信したＰＤＳＣＨに対するＨＡＲＱ−ＡＣＫを各セルのアップリンクサブフレームから送信する。この時、端末は本発明の第１実施形態、第２実施形態のうちのいずれか一方式で定義されたＨＡＲＱ−ＡＣＫを送信する。
【０１３５】
具体的に、端末は前記段階６１７でＦＤＤセルがＰセルであり、ＴＤＤセルがＳセルである場合、図２Ａの第１実施形態によって各セルでＨＡＲＱ−ＡＣＫを送信することができ、ＴＤＤセルがＰセルであり、ＦＤＤセルがＳセルである場合、図２Ｂの第２実施形態によって各セルでＨＡＲＱ−ＡＣＫを送信することができる。
【０１３６】
図７は、本発明の実施形態による基地局のブロック構成図である。図７を参照すれば、基地局装置は送信部、受信部、制御機７０１及びスケジューラー７０３を含む。
【０１３７】
送信部及び受信部は、１個の送受信部から構成されることができ、通信部(ｃｏｍｍｕｎｉｃａｔｉｏｎ ｕｎｉｔ)と称することができる。送信部はＰＤＣＣＨブロック７０５、ＰＤＳＣＨブロック７１６、ＰＨＩＣＨブロック７２４、マルチプレクサ７１５を含む。受信部はＰＵＳＣＨブロック７３０、ＰＵＣＣＨブロック７３９、デマルチプレクサ７４９を含む。
【０１３８】
制御機７０１は、ＤＬ／ＵＬ制御チャンネル送受信タイミング制御を行う。具体的に、制御機７０１はＤＬ／ＵＬ ＨＡＲＱ−ＡＣＫ送受信タイミング制御を行う。ここでＤＬ／ＵＬ ＨＡＲＱ−ＡＣＫ送受信タイミングはＰＤＳＣＨ送信に対するＰＵＣＣＨ送信タイミング、ＰＤＣＣＨ送信に対する ＰＵＳＣＨタイミング及びＰＵＳＣＨ送信に対するＵＬグラント(ｇｒａｎｔ)／ＰＨＩＣＨタイミングをすべて含む。多数のセルでの送受信のために送信部と受信部(ＰＵＣＣＨブロックは除ぐ)は複数個であることができるが、説明のために送信部と受信部がそれぞれ１個ずつだけあることを仮定して説明する。
【０１３９】
ＰＤＣＣＨブロック７０５は、ＤＣＩ形成器７０７、チャンネルコーディング部７０９、レートマッチング器７１１、変調器７１３を含む。ＰＤＳＣＨブロック７１６はデータバッファ７１７、チャンネルコーディング部７１９、レートマッチング器７２１、変調器７２３を含む。ＰＨＩＣＨブロック７２４はＨＡＲＱＡＣＫ／ＮＡＣＫ生成器７２５、ＰＨＩＣＨ形成器７２７、変調器７２９を含む。ＰＵＳＣＨブロック７３０は、復調器７３７、デレートマッチング器７３５、チャンネルデコーディング部７３３、データ獲得部７３１を含む。ＰＵＣＣＨブロックは復調器７４７、デレートマッチング器７４５、チャンネルデコーディング部７４３、ＡＣＫ／ＮＡＣＫ又はＣＱＩ獲得部７４１を含む。
【０１４０】
ＤＬ／ＵＬ ＨＡＲＱ−ＡＣＫ送受信タイミング制御を行う制御機７０１は、端末に送信するデータ量、システム内に使用可能したリソース量などを参考してスケジューリングしようとする端末に対してそれぞれの物理チャンネルの相互間のタイミング関係を調節してスケジューラー７０３、ＰＤＣＣＨ ブロック７０５、ＰＤＳＣＨブロック７１６、ＰＨＩＣＨブロック７２４、ＰＵＳＣＨブロック７３０、ＰＵＣＣＨブロック７３９に通知する。制御機７０１は、図２Ａ乃至図６Ｂを参照して説明した実施形態のいずれか１つの実施形態によって端末の能力によってアップリンク制御チャンネル制御情報を送信し、端末の能力によってＤＬ／ＵＬ ＨＡＲＱ−ＡＣＫ送受信タイミング関係を決定する。
【０１４１】
スケジューラー７０３の制御によってＤＣＩ形成器７０７はＤＣＩを構成する。チャンネルコーディング部７０９はＤＣＩにエラー訂正能力を付加する。レートマッチング器７１１は実際マッピングされるリソース量に合わせてエラー訂正能力が付加されたＤＣＩをレートマッチングする。変調器７１３はレートマッチングされたＤＣＩを変調する。マルチプレクサ７１５は変調されたＤＣＩを他の信号と多重化する。
【０１４２】
スケジューラー７０３の制御によってデータバッファー７１７から送信しようとするデータが抽出される。チャンネルコーディング部７１９は抽出されたデータにエラー訂正能力を付加する。レートマッチング器７２１はエラー訂正能力が付加されたデータに実際マッピングされるリソース量に合わせてレートマッチングを行う。変調器７２３はレートマッチングされたデータを変調する。マルチプレクサ７１５は変調されたデータを他の信号と多重化する。
【０１４３】
スケジューラー７０３の制御によってＨＡＲＱＡＣＫ／ＮＡＣＫ生成器７２５は端末から受信した ＰＵＳＣＨに対するＨＡＲＱＡＣＫ／ＮＡＣＫを生成する。ＰＨＩＣＨ構成器７２７は前記ＨＡＲＱ ＡＣＫ／ＮＡＣＫをＰＨＩＣＨチャンネル構造に当たるように構成する。変調器７２９は構成されたＨＡＲＱＡＣＫ／ＮＡＣＫを変調する。マルチプレクサ７１５は変調されたＨＡＲＱＡＣＫ／ＮＡＣＫを他の信号と多重化する。
そして、前記多重化された信号は ＯＦＤＭ 信号に生成されて生成されて端末に送信される。
【０１４４】
デマルチプレクサ７４９は端末から受信した信号でＰＵＳＣＨ信号を分離する。復調器７３７はＰＵＳＣＨ信号を復調する。逆レートマッチング部７３５は復調されたＰＵＳＣＨ信号からレートマッチング以前シンボルを再構成する。チャンネルデコーディング部７３３は再構成されたシンボルをデコーディングする。データ獲得部７３１はデコーディングされたシンボルからＰＵＳＣＨ データを獲得する。前記データ獲得部７３１はデコーディング結果に対するエラーであるか否かをスケジューラー７０３に通知してダウンリンクＨＡＲＱＡＣＫ／ＮＡＣＫ生成を調整することができる。デコーディング結果に対するエラーであるか否かをＤＬ／ＵＬ ＨＡＲＱ−ＡＣＫ送受信タイミング制御を行う制御機７０１に印可されてダウンリンクＨＡＲＱＡＣＫ／ＮＡＣＫ送信タイミングを調整するようにする。
【０１４５】
デマルチプレクサ７４９は、本発明の実施形態のいずれか１つによるＤＬ／ＵＬ ＨＡＲＱ−ＡＣＫ送受信タイミングによって端末から受信した信号でＰＵＣＣＨ信号を分離する。復調器７４７は分離されたＰＵＣＣＨ信号を復調する。チャンネルデコーディング部７３３は復調されたＰＵＣＣＨ信号をデコーディングする。アップリンクＡＣＫ／ＮＡＣＫ又はＣＱＩ獲得部７４１はデコーディングされたＰＵＣＣＨ 信号からアップリンクＡＣＫ／ＮＡＣＫ又はＣＱＩを獲得する。前記獲得したアップリンクＡＣＫ／ＮＡＣＫ又はＣＱＩはスケジューラー７０３に印可されてＰＤＳＣＨの再送信可否及びＭＣＳ(ｍｏｄｕｌａｔｉｏｎ ａｎｄ ｃｏｄｉｎｇ ｓｃｈｅｍｅ)を決定するのに用いられる。そして前記獲得したアップリンクＡＣＫ／ＮＡＣＫは制御機７０１に印可されてＰＤＳＣＨ の送信タイミングを調整するようにする。
図８は、本発明の実施形態による端末のブロック構成図である。
図８を参照すれば、端末は送信部、受信部及び制御機８０１を含む。
【０１４６】
送信部及び受信部は１個の送受信部から構成されることができ、通信部(ｃｏｍｍｕｎｉｃａｔｉｏｎ ｕｎｉｔ)と称することができる。送信部はＰＵＣＣＨ ブロック８０５、ＰＵＳＣＨブロック８１６、マルチプレクサ８１５を含む。受信部はＰＨＩＣＨブロック８２４、ＰＤＳＣＨ ブロック８３０、ＰＤＣＣＨ ブロック８３９、デマルチプレクサ８４９を含む。
【０１４７】
制御機８０１は、ＤＬ／ＵＬ ＨＡＲＱ−ＡＣＫ送受信タイミング制御を行う。ＰＵＣＣＨブロック８０５はＵＣＩ形成器８０７、チャンネルコーディング部８０９、変調器８１３を含む。ＰＵＳＣＨブロック８１６はデータバッファ８１８、チャンネルコーディング部８１９、レートマッチング器８２１、変調器８２３を含む。ＰＨＩＣＨブロック８２４はＨＡＲＱＡＣＫ／ＮＡＣＫ獲得器８２５、変調器８２９を含む。ＰＤＳＣＨブロック８３０は復調器８３７、デレートマッチング器８３５、チャンネルデコーディング部８３３、データ獲得部８３１を含む。ＰＤＣＣＨブロック８３９は復調器８４７、デレートマッチング器８４５、チャンネルデコーディング部８４３、ＤＣＩ獲得部８４１を含む。多数のセルでの送受信のために送信部と受信部(ＰＵＣＣＨブロックは除く)は複数個であることができるが、説明のために送信部と受信部がそれぞれ１個ずつだけあることを仮定して説明するようにする。
【０１４８】
ＤＬ／ＵＬ ＨＡＲＱ−ＡＣＫ送受信タイミングを制御する制御機８０１は基地局から受信したＤＣＩから自己−スケジューリング(ｓｅｌｆ−ｓｃｈｅｄｕｌｉｎｇ)またはクロスキャリアスケジューリング(ｃｒｏｓｓ ｃａｒｒｉｅｒ ｓｃｈｅｄｕｌｉｎｇ)の際、どのセルからＰＤＳＣＨを受信するか否か、またはどのセルでＰＵＳＣＨを送信するか否かと、ＤＬ／ＵＬ ＨＡＲＱ−ＡＣＫ送信のためのセル選択及びそれぞれの物理チャンネルの間の送受信タイミング関係を調節してＰＵＣＣＨブロック８０５、ＰＵＳＣＨブロック８１６、ＰＨＩＣＨブロック８２４、ＰＤＳＣＨブロック８３０、ＰＤＣＣＨブロック８３９に通知する。制御機８０１は図２Ａ乃至図６Ｂを参照して本発明の実施形態のいずれか１つの実施形態によって前記ＤＬ／ＵＬ ＨＡＲＱ−ＡＣＫ送受信タイミング関係を決定する。
【０１４９】
ＵＣＩ形成器８０７は、ＤＬ／ＵＬ ＨＡＲＱ−ＡＣＫ送受信タイミングを制御する制御機８０１のタイミング制御によってＵＣＩ(Ｕｐｌｉｎｋ ｃｏｎｔｒｏｌ ｉｎｆｏｒｍａｔｉｏｎ)を用いてＨＡＲＱＡＣＫ／ＮＡＣＫ又はＣＱＩを構成する。チャンネルコーディング部８０９はＨＡＲＱＡＣＫ／ＮＡＣＫ又はＣＱＩにエラー訂正能力を付加する。変調器８１３はエラー訂正能力が付加されたＨＡＲＱＡＣＫ／ＮＡＣＫ又はＣＱＩを変調する。マルチプレクサ８１５は変調されたＨＡＲＱＡＣＫ／ＮＡＣＫ又はＣＱＩを他の信号と多重化する。
【０１５０】
データバッファ８１８から送信しようとするデータが抽出される。チャンネルコーディング部８１９は抽出されたデータにエラー訂正能力を付加する。レートマッチング器８２１はエラー訂正能力が付加されたデータに対して実際マッピングされるリソース量に合わせてレートマッチングする。変調器８２３はレートマッチングされたデータを変調する。マルチプレクサ８１５は変調されたデータを他の信号と多重化する。
【０１５１】
そして前記多重化された信号はＳＣ−ＦＤＭＡ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)信号で生成されて本発明の実施形態のうちのいずれか１つによる ＤＬ／ＵＬ ＨＡＲＱ−ＡＣＫ送受信タイミングを考慮して基地局に送信される。
【０１５２】
デマルチプレクサ８４９は基地局からＤＬ／ＵＬ ＨＡＲＱ−ＡＣＫ送受信タイミングによって受信した信号の中でＰＨＩＣＨ信号を分離する。復調器８２９は分離したＰＨＩＣＨ 信号を復調する。ＨＡＲＱＡＣＫ／ＮＡＣＫ獲得部８２５は復調されたＰＨＩＣＨ 信号からＰＵＳＣＨに対するＨＡＲＱＡＣＫ／ＮＡＣＫであるか否かを獲得する。
【０１５３】
デマルチプレクサ８４９は基地局から受信した信号からＰＤＳＣＨ 信号を分離する。復調器８３７は分離したＰＤＳＣＨ 信号を復調する。デレートマッチング部８３５は復調されたＰＤＳＣＨ 信号からレートマッチング以前シンボルを再構成する。チャンネルデコーディング部８３３は再構成されたシンボルをデコーディングする。データ獲得部８３１はデコーディングされたシンボルからＰＤＳＣＨデータを獲得する。前記データ獲得部８３１はデコーディング結果に対するエラーであるか否かをＰＵＣＣＨブロック８０５に通知してアップリンクＨＡＲＱＡＣＫ／ＮＡＣＫ生成を調整し、デコーディング結果に対するエラーであるか否かをＤＬ／ＵＬ ＨＡＲＱ−ＡＣＫ送受信タイミングを制御する制御機８０１に印可してアップリンクＨＡＲＱＡＣＫ／ＮＡＣＫ 送信するとき、タイミングを調整するようにする。
【０１５４】
デマルチプレクサ８４９は基地局から受信した信号からＰＤＣＣＨ 信号を分離する。復調器８４７は分離したＰＤＣＣＨ信号を復調する。チャンネルデコーディング部８３３は復調されたＰＤＣＣＨ 信号をデコーディングする。ＤＣＩ獲得部８４１はデコーディングされたＰＤＣＣＨ信号からＤＣＩを獲得する。
【０１５５】
上述した実施形態でＨＡＲＱ−ＡＣＫ／ＮＡＣＫを例えたが、本発明の実施形態はＨＡＱＲ−ＡＣＫ／ＮＡＣＫと類似のその他のフィードバック信号にも適用されることができる。また、上述した実施形態で端末がＰＤＳＣＨを受信した後、それに対するフィードバックを送信する過程を説明したが、本発明の実施形態はＰＤＳＣＨと類似のその他データ、信号などに対しても適用されることができる。
【０１５６】
一方、本発明の詳細な説明では具体的な実施形態に関して説明したが、本発明の範囲から逸脱せず限度内で様々な変形が可能であることは勿論である。したがって、本発明の範囲は説明された実施形態に限って決まってはいけなく、後述する特許請求の範囲だけではなくこの特許請求の範囲と均等なものなどによって決まるべきである。
【符号の説明】
【０１５７】
１０１  基地局
１０２  ＴＤＤセル
１０３  ＦＤＤセル
１０４  端末
１１１  基地局
１１２  ピコ基地局
１１４  端末
【図１ａ】
0006559574.tif 000002
【図１ｂ】
0006559574.tif 000003
【図２ａ】
0006559574.tif 000004
【図２ｂ】
0006559574.tif 000005
【図３】
0006559574.tif 000006
【図４ａ】
0006559574.tif 000007
【図４ｂ】
0006559574.tif 000008
【図４ｃ】
0006559574.tif 000009
【図５Ａ】
0006559574.tif 000010
【図５Ｂ】
0006559574.tif 000011
【図６Ａ】
0006559574.tif 000012
【図６Ｂ】
0006559574.tif 000013
【図７】
0006559574.tif 000014
【図８】
0006559574.tif 000015